(57)【要約】  端末が複数の単位バンドを使用する際に、データが送信される単位バンドと、そのデータのリソース割当情報が割り当てられるＰＤＣＣＨが送信される単位バンドとが異なる場合でも、無駄なＨＡＲＱ再送の発生を防ぐことができる無線通信基地局装置。この装置において、制御部（１０２）は、複数の下り単位バンドを使用して通信する端末に対して、端末宛ての下り回線データのリソース割当情報が割り当てられた制御チャネルに使用されるシンボル数を示すＣＦＩ情報を、複数の下り単位バンド毎に生成し、スクランブリング部（１０５）は、複数の下り単位バンドにおいて、下り回線データの割当に使用される下り単位バンドと、リソース割当情報が割り当てられる制御チャネルを送信する下り単位バンドとが互いに異なる場合、制御チャネルを、下り回線データの割当に使用される下り単位バンドのＣＦＩ情報に対応する系列でスクランブリングする。
2010150512.tif 000002
【特許請求の範囲】
【請求項１】
複数の下り単位バンドを使用して無線通信端末装置宛ての複数の下り回線データを送信する無線通信基地局装置であって、
前記複数の下り回線データの各リソース割当情報がそれぞれ割り当てられる複数の制御チャネルを生成する制御チャネル生成手段と、
前記制御チャネルに使用可能なシンボル数を示すＣＦＩ情報を、前記複数の下り単位バンド毎に生成するＣＦＩ情報生成手段と、
前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを、前記下り回線データの割当に使用される下り単位バンドの前記ＣＦＩ情報に対応する系列でスクランブリングするスクランブリング手段と、
を具備する無線通信基地局装置。
【請求項２】
前記スクランブリング手段は、前記制御チャネルに割り当てられるＣＣＥの連結数が閾値以上の場合、かつ、前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを前記系列でスクランブリングする、
請求項１記載の無線通信基地局装置。
【請求項３】
前記スクランブリング手段は、前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルに割り当てられる複数の制御情報フォーマットのうち、情報ビット数が最も小さい制御情報フォーマットが割り当てられた前記制御チャネルを、前記系列でスクランブリングする、
請求項１記載の無線通信基地局装置。
【請求項４】
前記スクランブリング手段は、前記制御チャネルを、前記ＣＦＩ情報、および、自装置がカバーするセルのセルＩＤに対応する前記系列でスクランブリングする、
請求項１記載の無線通信基地局装置。
【請求項５】
前記スクランブリング手段は、前記制御チャネルを、前記ＣＦＩ情報、および、前記下り回線データの割当に使用される下り単位バンドに対応する前記系列でスクランブリングする、
請求項１記載の無線通信基地局装置。
【請求項６】
複数の下り単位バンドを使用して複数の下り回線データを受信する無線通信端末装置であって、
自装置宛ての下り回線データのリソース割当情報が割り当てられた制御チャネルに使用可能なシンボル数を示すＣＦＩ情報を、前記複数の下り単位バンド毎に得る受信手段と、
前記複数の下り単位バンドにおいて、前記下り回線データの割当に使用される下り単位バンドと異なる下り単位バンドで送信された前記制御チャネルに対して、前記下り回線データの割当に使用される下り単位バンドの前記ＣＦＩ情報に対応する系列でデスクランブリングする復号手段と、
を具備する無線通信端末装置。
【請求項７】
複数の下り単位バンドを使用して無線通信端末装置宛てに複数の下り回線データを送信する無線通信基地局装置における制御チャネル送信方法であって、
前記複数の下り回線データの各リソース割当情報がそれぞれ割り当てられる複数の制御チャネルを生成する制御チャネル生成ステップと、
前記制御チャネルに使用可能なシンボル数を示すＣＦＩ情報を、前記複数の下り単位バンド毎に生成する生成ステップと、
前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを、前記下り回線データの割当に使用される下り単位バンドの前記ＣＦＩ情報に対応する系列でスクランブリングするスクランブリングステップと、
を有する制御チャネル送信方法。
【請求項８】
複数の下り単位バンドを使用して複数の下り回線データを受信する無線通信端末装置における制御チャネル受信方法であって、
自装置宛ての下り回線データのリソース割当情報が割り当てられた制御チャネルに使用可能なシンボル数を示すＣＦＩ情報を、前記複数の下り単位バンド毎に得る受信ステップと、
前記複数の下り単位バンドにおいて、前記下り回線データの割当に使用される下り単位バンドと異なる下り単位バンドで送信された前記制御チャネルに対して、前記下り回線データの割当に使用される下り単位バンドの前記ＣＦＩ情報に対応する系列でデスクランブリングする復号ステップと、
を有する制御チャネル受信方法。
【発明の詳細な説明】
【技術分野】
【０００１】
本発明は、無線通信基地局装置、無線通信端末装置、制御チャネル送信方法および制御チャネル受信方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、基地局と省略する）はシステム帯域内のリソースブロック（Resource Block：ＲＢ）を、サブフレームと呼ばれる時間単位毎に無線通信端末装置（以下、端末と省略する）に割り当てることにより通信を行う。また、基地局は下り回線データおよび上り回線データのリソース割当結果を通知するための制御情報（リソース割当情報）を端末へ送信する。この制御情報は例えばＰＤＣＣＨ（Physical Downlink Control Channel）等の下り回線制御チャネルを用いて端末へ送信される。ここで、基地局は、端末の割当数等に応じて、ＰＤＣＣＨの送信に用いるリソース量、つまり、ＯＦＤＭシンボル数をサブフレーム単位で制御する。具体的には、基地局は、各サブフレームの先頭のＯＦＤＭシンボルでＰＤＣＣＨの送信に使用可能なＯＦＤＭシンボル数を示す情報であるＣＦＩ（Control Format Indicator）を、ＰＣＦＩＣＨ（Physical Control Format Indicator Channel）を用いて端末へ送信する。端末は、受信したＰＣＦＩＣＨから検出したＣＦＩに従ってＰＤＣＣＨを受信する。なお、各ＰＤＣＣＨは１つまたは連続する複数のＣＣＥ（Control Channel Element）で構成されるリソースを占有する。ＬＴＥでは、ＰＤＣＣＨが占有するＣＣＥ数（ＣＣＥ連結数：CCE aggregation level）は、制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。【０００４】
また、基地局は１サブフレームに複数の端末を割り当てるため、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して自端末宛のＰＤＣＣＨを検出する。【０００５】
また、端末でのブラインド復号の回数を削減することを目的として、ブラインド復号の対象となるＣＣＥを、端末毎に限定する方法が検討されている。この方法では、端末毎に、ブラインド復号対象となるＣＣＥ領域（以下、サーチスペース（Search Space）という）を限定する。ＬＴＥでは、サーチスペースは端末毎にランダムに設定され、サーチスペースを構成するＣＣＥ数はＰＤＣＣＨのＣＣＥ連結数毎に定義される。例えば、ＣＣＥ連結数１，２，４，８それぞれに対して、サーチスペースを構成するＣＣＥ数、つまり、ブラインド復号対象となるＣＣＥは６候補（６（＝１×６）ＣＣＥ），６候補（１２（＝２×６）ＣＣＥ），２候補（８（＝４×２）ＣＣＥ），２候補（１６（＝８×２）ＣＣＥ）にそれぞれ限定される。これにより、各端末は、自端末に割り当てられたサーチスペース内のＣＣＥに対してのみ、ブラインド復号を行えばよいため、ブラインド復号の回数を削減することができる。ここで、各端末のサーチスペースは、各端末の端末ＩＤと、ランダム化を行う関数であるハッシュ（ｈａｓｈ）関数とを用いて設定される。【０００６】
また、ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号（つまり、ＡＣＫ／ＮＡＣＫ信号）として基地局へフィードバックする。そして、基地局は、フィードバックされた応答信号がＮＡＣＫを示す場合には、端末に対して再送データを送信する。また、ＬＴＥでは、誤り訂正符号化とＡＲＱとを組合せたＨＡＲＱ（Hybrid ARQ）と呼ばれるデータ再送制御が検討されている。ＨＡＲＱでは、端末は、再送されるデータを受信するときに、再送データと前回受信した誤りの含まれるデータとを合成することにより、端末側での受信品質を高めることができる。【０００７】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ＋端末という）が導入される見込みである。また、ＬＴＥ−Ａシステムは、ＬＴＥ＋端末のみでなく、ＬＴＥシステムに対応する端末（以下、ＬＴＥ端末という）を収容することが要求されている。【０００８】
そして、ＬＴＥ−Ａでは、４０ＭＨｚ以上の広帯域通信を実現するために、複数の周波数帯域を連結して通信するバンド連結（Band aggregation）方式が提案されている（例えば、非特許文献１参照）。例えば、２０ＭＨｚの幅を持つ周波数帯域が通信帯域の基本単位(以下、単位バンド（component band）という)とされている。よって、ＬＴＥ−Ａでは、例えば、２つの単位バンドを連結することにより４０ＭＨｚのシステム帯域幅を実現する。また、１つの単位バンドには、ＬＴＥ端末およびＬＴＥ＋端末の双方が収容される。なお、以下の説明では、上り回線における単位バンドを下り単位バンドと呼び、下り回線における単位バンドを下り単位バンドと呼ぶ。【０００９】
また、ＬＴＥ−Ａでは、各単位バンドのリソース割当情報を基地局から端末へ通知する通知方法として、以下の２つの通知方法が検討されている（例えば、非特許文献４参照）。１つ目の通知方法では、基地局は、複数の単位バンドそれぞれのリソース割当情報を、リソース割当対象のデータ送信に用いる各下り単位バンドに配置されたＰＤＣＣＨを用いて端末に通知する。そして、広帯域伝送を行う端末（複数の単位バンドを使用する端末）は、複数の単位バンドそれぞれのリソース割当情報を、各下り単位バンドに配置されたＰＤＣＣＨを受信することにより得る。【００１０】
これに対し、２つ目の通知方法では、基地局は、複数の単位バンドそれぞれのリソース割当情報を、いずれかの下り単位バンドに配置されたＰＤＣＣＨを用いて端末に通知する。このとき、端末にはデータを割り当てた単位バンドがＰＤＣＣＨにより通知される。つまり、２つ目の通知方法では、基地局は、リソース割当対象の単位バンドのリソース割当情報を、その単位バンドとは異なる下り単位バンドに配置されたＰＤＣＣＨを用いて送信することもある。これより、基地局はＰＤＣＣＨを送信する下り単位バンドをより柔軟に選択することができる。
【先行技術文献】
【非特許文献】
【００１１】
【非特許文献１】3GPP TS 36.211 V8.3.0, “Physical Channels and Modulation (Release 8),” May 2008
【非特許文献２】3GPP TS 36.212 V8.3.0, “Multiplexing and channel coding (Release 8),” May 2008
【非特許文献３】3GPP TS 36.213 V8.3.0, “Physical layer procedures (Release 8),” May 2008
【非特許文献４】3GPP TSG RAN WG1 meeting, R1-092230, “PDCCH design for Carrier aggregation,” May 2009
【発明の概要】
【発明が解決しようとする課題】
【００１２】
各単位バンドのＣＦＩ、つまり、ＰＤＣＣＨの送信に使用されるＯＦＤＭシンボル数は、単位バンド毎に独立に制御され、端末に通知される。そして、端末は、各単位バンドでＣＦＩをそれぞれ判定し、ＰＤＣＣＨの受信に使用するリソース領域（ＯＦＤＭシンボル数、以下、ＰＤＣＣＨ領域という）と、データの開始位置（開始ＯＦＤＭシンボル）を特定する。【００１３】
ここで、ＣＦＩは２ビットの情報でありＣＲＣ等の誤り検出ビットが付加されないため、端末は、ＣＦＩの誤りを検出できない。そのため、基地局がリソース割当対象の単位バンドのリソース割当情報を、その単位バンドと同一の単位バンドに配置されたＰＤＣＣＨを用いて送信した場合において、端末が、その単位バンドに設定されたＣＦＩ情報を誤って判定すると、ＰＤＣＣＨ領域を誤って特定してしまう。この場合、端末は、ＰＤＣＣＨの受信を誤ってしまうため、データ受信も行われない。よって、基地局は、端末からの応答信号が検出されない（ＤＴＸ）と判断するので、そのデータを再送する。【００１４】
一方、上述したように、基地局は、リソース割当対象の単位バンドのリソース割当情報を、その単位バンドとは異なる単位バンドに配置されたＰＤＣＣＨを用いて送信することもあり得る。例えば、図１および図２では、基地局は、下り単位バンド２で送信される下り回線データ（ＰＤＳＣＨ（Physical Downlink Shared Channel）信号）のリソース割当情報を、下り単位バンド２と異なる下り単位バンド１に配置されたＰＤＣＣＨを用いて送信する。なお、図１および図２では、基地局は、下り単位バンド１，２に配置されたＰＣＦＩＣＨを用いてＣＦＩを送信する。図１および図２では、下り単位バンド１のＣＦＩ情報をＣＦＩ＝３（つまり、ＰＤＣＣＨ領域が３ＯＦＤＭシンボル）とし、下り単位バンド２のＣＦＩ情報をＣＦＩ＝１（つまり、ＰＤＣＣＨ領域が１ＯＦＤＭシンボル）とする。【００１５】
まず、図１に示すように、ＰＤＣＣＨが送信される下り単位バンド１のＣＦＩ情報、および、そのＰＤＣＣＨに含まれるリソース割当情報に示されるリソース割当対象の下り単位バンド２のＣＦＩ情報の双方が正常に判定される場合について説明する。この場合、端末は、ブラインド復号により自端末宛てのＰＤＣＣＨを検出でき、かつ、自端末宛ての下り回線データの開始ＯＦＤＭシンボル（図１ではＣＦＩ＝１に対応するＰＤＣＣＨ領域の直後のＯＦＤＭシンボル、つまり、サブフレームの先頭から２ＯＦＤＭシンボル目）を特定できる。よって、端末は、図１に示すように、受信したＰＤＣＣＨに含まれるリソース割当情報に示される自端末宛ての下り回線データが割り当てられた周波数リソース、および、特定した開始ＯＦＤＭシンボルに基づいて、下り回線データを受信する。【００１６】
また、端末は、下り回線データの復号結果に誤りがあった場合、図１に示すように、誤りを含む下り回線データを、開始ＯＦＤＭシンボルから順にＨＡＲＱバッファに格納するとともに、ＮＡＣＫ信号を基地局へ送信する。そして、端末は、基地局からの再送データと、ＨＡＲＱバッファに格納している受信済データとを合成することにより、端末側の受信品質を向上させる。【００１７】
次に、図２に示すように、ＰＤＣＣＨが送信される下り単位バンド１のＣＦＩ情報（図２ではＣＦＩ＝３）は正常に判定されるものの、そのＰＤＣＣＨに含まれるリソース割当情報に示されるリソース割当対象の下り単位バンド２のＣＦＩ情報（図２ではＣＦＩ＝１）が誤ってＣＦＩ＝３として判定される場合について説明する。この場合、端末は、図２に示すように、ＣＦＩ情報を正常に判定した下り単位バンド１では、ＰＤＣＣＨを検出できる。つまり、端末は、自機宛ての下り回線データが割り当てられる周波数リソースを特定できるため、下り回線データの復号を行う。【００１８】
ただし、図２に示すように、端末は、下り単位バンド２のＣＦＩ＝３に対応する、サブフレームの先頭から３ＯＦＤＭシンボル分をＰＤＣＣＨ領域として誤って特定してしまう。すなわち、端末が特定したＰＤＣＣＨ領域は、基地局が設定したＰＤＣＣＨ領域（ＣＦＩ＝１に対応するＰＤＣＣＨ領域）と２ＯＦＤＭシンボル分（図２に示す斜線部分）だけ異なる。よって、図２に示すように、端末は、時間領域において、ＰＤＣＣＨ領域として特定したＯＦＤＭシンボルの直後のＯＦＤＭシンボル（つまり、サブフレームの先頭から４ＯＦＤＭシンボル目）を、下り回線データの開始ＯＦＤＭシンボルとして特定する。このため、端末は、誤ったリソースで下り回線データを受信するため、データを正常に復号することができない。【００１９】
また、端末は、下り回線データの復号結果に誤りがあると判定すると、受信した下り回線データをＨＡＲＱバッファに格納する。このとき、端末は、図２に示すように、サブフレームの先頭から４ＯＦＤＭシンボル目（ＣＦＩ＝３に対応するＰＤＣＣＨ領域の直後のＯＦＤＭシンボル）を下り回線データの開始ＯＦＤＭシンボルとしてＨＡＲＱバッファに格納する。すなわち、端末は、実際の下り回線データの開始ＯＦＤＭシンボル（ＣＦＩ＝１に対応するＰＤＣＣＨ領域の直後のＯＦＤＭシンボル）とは異なるＯＦＤＭシンボルから順に、下り回線データをＨＡＲＱバッファに格納してしまう。【００２０】
そのため、端末は、基地局からＨＡＲＱ再送される再送データを受信した際には、ＨＡＲＱバッファに格納している受信済データ、つまり、誤った開始位置（図２ではＣＦＩ＝３に対応するＰＤＣＣＨ領域の直後のＯＦＤＭシンボル）から格納されたデータと、基地局が設定した開始位置（図２ではＣＦＩ＝１に対応するＰＤＣＣＨ領域の直後のＯＦＤＭシンボル）で再送される再送データとを合成してしまう。その結果、更なるＨＡＲＱ再送が発生し、予め設定された最大再送回数に達した場合には、上位レイヤ（例えば、ＲＬＣレイヤ）における再送が発生してしまう。【００２１】
このように、端末が複数の単位バンドを使用する際、データが送信される単位バンドと、そのデータのリソース割当情報が割り当てられるＰＤＣＣＨが送信される単位バンドとが互いに異なる場合に、端末が、データが送信される単位バンドのＣＦＩを誤って判定してしまうと、データ伝送の遅延を増大させるだけでなく、ＨＡＲＱ再送により無駄にリソースを消費してしまう。さらには、上位レイヤの再送が頻発するため基地局における処理量が増加してしまう。【００２２】
本発明の目的は、端末が複数の単位バンドを使用する際に、データが送信される単位バンドと、そのデータのリソース割当情報が割り当てられるＰＤＣＣＨが送信される単位バンドとが互いに異なる場合でも、無駄なＨＡＲＱ再送の発生を防ぐことができる基地局、端末、制御チャネル送信方法および制御チャネル受信方法を提供することである。
【課題を解決するための手段】
【００２３】
本発明の基地局は、複数の下り単位バンドを使用して無線通信端末装置宛ての複数の下り回線データを送信する無線通信基地局装置であって、前記複数の下り回線データの各リソース割当情報がそれぞれ割り当てられる複数の制御チャネルを生成する制御チャネル生成手段と、前記制御チャネルに使用可能なシンボル数を示すＣＦＩ情報を、前記複数の下り単位バンド毎に生成するＣＦＩ情報生成手段と、前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを、前記下り回線データの割当に使用される下り単位バンドの前記ＣＦＩ情報に対応する系列でスクランブリングするスクランブリング手段と、を具備する構成を採る。【００２４】
本発明の端末は、複数の下り単位バンドを使用して複数の下り回線データを受信する無線通信端末装置であって、自装置宛ての下り回線データのリソース割当情報が割り当てられた制御チャネルに使用可能なシンボル数を示すＣＦＩ情報を、前記複数の下り単位バンド毎に得る受信手段と、前記複数の下り単位バンドにおいて、前記下り回線データの割当に使用される下り単位バンドと異なる下り単位バンドで送信された前記制御チャネルを、前記下り回線データの割当に使用される下り単位バンドの前記ＣＦＩ情報に対応する系列でデスクランブリングする復号手段と、を具備する構成を採る。【００２５】
本発明の制御チャネル送信方法は、複数の下り単位バンドを使用して無線通信端末装置宛てに複数の下り回線データを送信する無線通信基地局装置における制御チャネル送信方法であって、前記複数の下り回線データの各リソース割当情報がそれぞれ割り当てられる複数の制御チャネルを生成する制御チャネル生成ステップと、前記制御チャネルに使用可能なシンボル数を示すＣＦＩ情報を、前記複数の下り単位バンド毎に生成する生成ステップと、前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを、前記下り回線データの割当に使用される下り単位バンドの前記ＣＦＩ情報に対応する系列でスクランブリングするスクランブリングステップと、を有する。【００２６】
本発明の制御チャネル受信方法は、複数の下り単位バンドを使用して複数の下り回線データを受信する無線通信端末装置における制御チャネル受信方法であって、自装置宛ての下り回線データのリソース割当情報が割り当てられた制御チャネルに使用可能なシンボル数を示すＣＦＩ情報を、前記複数の下り単位バンド毎に得る受信ステップと、前記複数の下り単位バンドにおいて、前記下り回線データの割当に使用される下り単位バンドと異なる下り単位バンドで送信された前記制御チャネルに対して、前記下り回線データの割当に使用される下り単位バンドの前記ＣＦＩ情報に対応する系列でデスクランブリングする復号ステップと、を有する。
【発明の効果】
【００２７】
本発明によれば、端末が複数の単位バンドを使用する際に、データが送信される単位バンドと、そのデータのリソース割当情報が割り当てられるＰＤＣＣＨが送信される単位バンドとが異なる場合でも、無駄なＨＡＲＱ再送の発生を防ぐことができる。
【図面の簡単な説明】
【００２８】
【図１】ＰＤＣＣＨ送信処理を示す図（端末がＣＦＩ情報を正常に受信する場合）
【図２】ＰＤＣＣＨ送信処理を示す図（端末がＣＦＩ情報を誤って受信する場合）
【図３】本発明の実施の形態１に係る基地局の構成を示すブロック図
【図４】本発明の実施の形態１に係る端末の構成を示すブロック図
【図５】本発明の実施の形態１に係るＰＤＣＣＨ送信処理を示す図
【図６】本発明の実施の形態２に係るＰＤＣＣＨ領域を示す図
【図７】本発明の実施の形態４に係る基地局の構成を示すブロック図
【図８】本発明の実施の形態４に係るサーチスペースの設定方法を示す図
【図９】本発明の実施の形態５に係る基地局の構成を示すブロック図
【図１０】本発明の実施の形態５に係るＰＤＣＣＨ処理部の内部構成を示すブロック図
【図１１】本発明の実施の形態６に係るＰＤＣＣＨ処理部の内部構成を示すブロック図
【図１２】本発明の実施の形態７に係るＰＤＣＣＨ処理部の内部構成を示すブロック図
【図１３】本発明の実施の形態８に係るＰＤＣＣＨ処理部の内部構成を示すブロック図
【図１４】本発明の実施の形態９に係るＰＤＣＣＨ処理部の内部構成を示すブロック図
【図１５】本発明の実施の形態９に係るサーキュラーバッファの読み出し処理を示す図
【発明を実施するための形態】
【００２９】
以下、本発明の実施の形態について図面を参照して詳細に説明する。なお、実施の形態において、同一の構成要素には同一の符号を付し、その説明は重複するので省略する。
【００３０】
（実施の形態１）
図３は、本実施の形態に係る基地局１００の構成を示すブロック図である。
【００３１】
図３に示す基地局１００において、設定部１０１は、例えば、所要伝送レートやデータ伝送量に従って、端末毎に上り回線および下り回線にそれぞれ使用する１つまたは複数の単位バンドを設定（configure）する。また、設定部１０１は、上り回線および下り回線それぞれにおいて、各単位バンドで送信されるデータのリソース割当情報が割り当てられるＰＤＣＣＨ信号を送信する下り単位バンドをそれぞれ設定する。そして、設定部１０１は、各端末に設定した単位バンド、および、ＰＤＣＣＨを送信する下り単位バンドを含む設定情報を制御部１０２、ＰＤＣＣＨ生成部１０３および変調部１０９に出力する。
【００３２】
制御部１０２は、端末の上り回線データを割り当てる上りリソース（例えば、ＰＵＳＣＨ）を示す上りリソース割当情報、および、端末宛ての下り回線データを割り当てる下りリソース（例えば、ＰＤＳＣＨ）を示す下りリソース割当情報を生成する。ここで、リソース割当情報には、リソースブロック（ＲＢ：Resource Block）の割当情報、データのＭＣＳ情報、データが新規データであるか再送データであるかを示す情報（ＮＤＩ：New Data Indicator）またはＲＶ（Redundancy version）情報等のＨＡＲＱ再送に関する情報も含む。そして、制御部１０２は、上りリソース割当情報をＰＤＣＣＨ生成部１０３および抽出部１１９に出力し、下りリソース割当情報をＰＤＣＣＨ生成部１０３および多重部１１１に出力する。ここで、制御部１０２は、設定部１０１から入力される設定情報に基づいて、上りリソース割当情報および下りリソース割当情報（すなわち、端末に対するリソース割当情報）を、各端末に設定した下り単位バンドに配置されたＰＤＣＣＨに割り当てる。具体的には、制御部１０２は、各リソース割当情報を、そのリソース割当情報に示されるリソース割当対象の単位バンドに対して設定された下り単位バンドに配置されたＰＤＣＣＨに割り当てる。なお、ＰＤＣＣＨは、１つまたは複数のＣＣＥで構成される。また、基地局１００が使用するＣＣＥ数は、割り当てる端末の伝搬路品質（ＣＱＩ：Channel Quality Indicator）および制御情報サイズに基づいて、端末が必要十分な誤り率で制御情報を受信できるように設定される。また、制御部１０２は、各下り単位バンドで制御情報（例えば、リソース割当情報）が割り当てられるＰＤＣＣＨに使用されるＣＣＥ数に基づいて、ＰＤＣＣＨの送信に使用されるＯＦＤＭシンボル数を下り単位バンド毎に決定し、決定したＯＦＤＭシンボル数を示すＣＦＩ情報を生成する。そして、制御部１０２は、下り単位バンド毎のＣＦＩ情報を、スクランブリング部１０５、ＰＣＦＩＣＨ生成部１０８および多重部１１１に出力する。
【００３３】
ＰＤＣＣＨ生成部１０３は、設定部１０１から入力される設定情報に示される各端末に設定された下り単位バンドにおいて、制御部１０２から入力される上りリソース割当情報および下りリソース割当情報を含むＰＤＣＣＨ信号を生成する。また、ＰＤＣＣＨ生成部１０３は、上りリソース割当情報および下りリソース割当情報が割り当てられたＰＤＣＣＨ信号にＣＲＣビットを付加し、さらにＣＲＣビットを端末ＩＤでマスキング（または、スクランブリング）する。そして、ＰＤＣＣＨ生成部１０３は、マスキング後のＰＤＣＣＨ信号を、符号化部１０４に出力する。
【００３４】
符号化部１０４は、ＰＤＣＣＨ生成部１０３から入力される各単位バンドのＰＤＣＣＨ信号に対してチャネル符号化を行い、符号化後のＰＤＣＣＨ信号をスクランブリング部１０５に出力する。
【００３５】
スクランブリング部１０５は、符号化部１０４から入力されるＰＤＣＣＨ信号が送信される下り単位バンドと、そのＰＤＣＣＨ信号に含まれる下りリソース割当情報に示されるリソース割当対象の下り単位バンドとが互いに異なる場合、当該ＰＤＣＣＨ信号を、制御部１０２から入力される各下り単位バンドのＣＦＩ情報のうち、リソース割当対象の下り単位バンド（下り回線データの割当に使用される下り単位バンド）のＣＦＩ情報に対応するスクランブリング系列でスクランブリングする。すなわち、スクランブリング部１０５は、符号化部１０４から入力されるＰＤＣＣＨ信号を、そのＰＤＣＣＨ信号に含まれる下りリソース割当情報に示されるリソース割当対象の下り単位バンドと異なる下り単位バンドを用いて送信する場合、当該ＰＤＣＣＨ信号を、下り回線データの割当に使用される下り単位バンドのＣＦＩ情報に対応するスクランブリング系列でスクランブリングする。そして、スクランブリング部１０５は、スクランブリング後のＰＤＣＣＨ信号を変調部１０６に出力する。一方、スクランブリング部１０５は、符号化部１０４から入力されるＰＤＣＣＨ信号が送信される下り単位バンドと、そのＰＤＣＣＨ信号に含まれる下りリソース割当情報に示されるリソース割当対象の下り単位バンドとが同一の場合、当該ＰＤＣＣＨ信号をそのまま変調部１０６に出力する。
【００３６】
変調部１０６は、スクランブリング部１０５から入力されるＰＤＣＣＨ信号を変調して、変調後のＰＤＣＣＨ信号を割当部１０７に出力する。
【００３７】
割当部１０７は、変調部１０６から入力される各端末のＰＤＣＣＨ信号を、各下り単位バンドにおける端末毎のサーチスペース内のＣＣＥにそれぞれ割り当てる。例えば、割当部１０７は、各端末に設定された複数の下り単位バンド毎のサーチスペースを、各端末の端末ＩＤおよびランダム化を行うハッシュ関数を用いて算出されるＣＣＥ番号と、サーチスペースを構成するＣＣＥ数（Ｌ）とから算出する。つまり、割当部１０７は、ある端末の端末ＩＤおよびハッシュ関数を用いて算出される、ＣＣＥ番号をその端末のサーチスペースの開始位置（ＣＣＥ番号）に設定し、その端末のサーチスペースとして、開始位置からＣＣＥ数Ｌだけの連続したＣＣＥまでを設定する。ここで、割当部１０７は、各単位バンドのデータのリソース割当情報を示すＰＤＣＣＨそれぞれに対して、設定部１０１で設定された単位バンドにおいてサーチスペースを算出する。そして、割当部１０７は、ＣＣＥに割り当てたＰＤＣＣＨ信号を多重部１１１に出力する。
【００３８】
ＰＣＦＩＣＨ生成部１０８は、制御部１０２から入力される下り単位バンド毎のＣＦＩ情報に基づいて、下り単位バンド毎に送信されるＰＣＦＩＣＨ信号を生成する。例えば、ＰＣＦＩＣＨ生成部１０８は、各下り単位バンドの２ビットのＣＦＩ情報（ＣＦＩビット）を符号化して３２ビットの情報を生成し、生成した３２ビットの情報をＱＰＳＫ変調することにより、ＰＣＦＩＣＨ信号を生成する。そして、ＰＣＦＩＣＨ生成部１０８は、生成したＰＣＦＩＣＨ信号を多重部１１１に出力する。
【００３９】
変調部１０９は、設定部１０１から入力される設定情報を変調して、変調後の設定情報を多重部１１１に出力する。
【００４０】
変調部１１０は、入力される送信データ（下り回線データ）をチャネル符号化後に変調して、変調後の送信データ信号を多重部１１１に出力する。
【００４１】
多重部１１１は、割当部１０７から入力されるＰＤＣＣＨ信号、ＰＣＦＩＣＨ生成部１０８から入力されるＰＣＦＩＣＨ信号、変調部１０９から入力される設定情報および変調部１１０から入力されるデータ信号（つまり、ＰＤＳＣＨ信号）を多重する。ここで、多重部１１１は、制御部１０２から入力される各下り単位バンドのＣＦＩ情報に基づいて、ＰＤＣＣＨを配置するＯＦＤＭシンボル数を下り単位バンド毎に決定する。また、多重部１１１は、制御部１０２から入力される下りリソース割当情報に基づいて、ＰＤＣＣＨ信号およびデータ信号（ＰＤＳＣＨ信号）を各下り単位バンドにマッピングする。なお、多重部１１１は、設定情報をＰＤＳＣＨにマッピングしてもよい。そして、多重部１１１は、多重信号をＩＦＦＴ（Inverse Fast Fourier Transform）部１１２に出力する。
【００４２】
ＩＦＦＴ部１１２は、多重部１１１から入力される多重信号を時間波形に変換し、ＣＰ（Cyclic Prefix）付加部１１３は、この時間波形にＣＰを付加することによりＯＦＤＭ信号を得る。
【００４３】
送信ＲＦ部１１４は、ＣＰ付加部１１３から入力されるＯＦＤＭ信号に対して無線送信処理（アップコンバート、Ｄ／Ａ変換等）を施し、アンテナ１１５を介して送信する。
【００４４】
一方、受信ＲＦ部１１６は、アンテナ１１５を介して受信帯域で受信した受信無線信号に対して無線受信処理（ダウンコンバート、Ａ／Ｄ変換等）を施し、得られた受信信号をＣＰ除去部１１７に出力する。
【００４５】
ＣＰ除去部１１７は、受信信号からＣＰを除去し、ＦＦＴ（Fast Fourier Transform）部１１８は、ＣＰ除去後の受信信号を周波数領域信号に変換する。
【００４６】
抽出部１１９は、制御部１０２から入力される上りリソース割当情報（例えば、４サブフレーム前の上りリソース割当情報）に基づいて、ＦＦＴ部１１８から入力される周波数領域信号から、各端末の上り回線データおよびＰＵＣＣＨ信号（例えば、ＡＣＫ／ＮＡＣＫ信号）を抽出する。ＩＤＦＴ（Inverse Discrete Fourier transform）部１２０は抽出部１１９で抽出された信号を時間領域信号に変換し、その時間領域信号をデータ受信部１２１およびＡＣＫ／ＮＡＣＫ受信部１２２に出力する。
【００４７】
データ受信部１２１は、ＩＤＦＴ部１２０から入力される時間領域信号のうち、上り回線データを復号する。そして、データ受信部１２１は、復号後の上り回線データを受信データとして出力する。
【００４８】
ＡＣＫ／ＮＡＣＫ受信部１２２は、ＩＤＦＴ部１２０から入力される時間領域信号のうち、下り回線データ（ＰＤＳＣＨ信号）に対する各端末からのＡＣＫ／ＮＡＣＫ信号を抽出し、ＡＣＫ／ＮＡＣＫ信号のＡＣＫ／ＮＡＣＫ判定を行う。そして、基地局１００は、ＡＣＫ／ＮＡＣＫ受信部１２２によるＡＣＫ／ＮＡＣＫ判定の判定結果に基づいて、次回の送信タイミングで新規データまたは再送データを送信する。
【００４９】
図４は、本実施の形態に係る端末２００の構成を示すブロック図である。端末２００は、複数の下り単位バンドを使用して基地局１００と通信する。また、端末２００は、受信データに誤りがある場合には、ＨＡＲＱバッファに受信データを格納し、再送時に再送データと、ＨＡＲＱバッファに格納している受信済データとを合成して、得られる合成信号を復号する。
【００５０】
図４に示す端末２００において、受信ＲＦ部２０２は、受信帯域を変更可能に構成されており、設定情報受信部２０６から入力される帯域情報に基づいて、受信帯域を変更する。そして、受信ＲＦ部２０２は、アンテナ２０１を介して受信帯域で受信した受信無線信号（ここでは、ＯＦＤＭ信号）に対して無線受信処理（ダウンコンバート、Ａ／Ｄ変換等）を施し、得られた受信信号をＣＰ除去部２０３に出力する。
【００５１】
ＣＰ除去部２０３は、受信信号からＣＰを除去し、ＦＦＴ部２０４はＣＰ除去後の受信信号を周波数領域信号に変換する。この周波数領域信号は、分離部２０５に出力される。
【００５２】
分離部２０５は、ＦＦＴ部２０４から入力される信号を、設定情報を含む上位レイヤの制御信号（例えば、ＲＲＣシグナリング等）と、ＰＣＦＩＣＨ信号と、ＰＤＣＣＨ信号と、データ信号（つまり、ＰＤＳＣＨ信号）とに分離する。そして、分離部２０５は、制御信号を設定情報受信部２０６に出力し、ＰＣＦＩＣＨ信号をＰＣＦＩＣＨ受信部２０７に出力し、ＰＤＣＣＨ信号をＰＤＣＣＨ受信部２０８に出力し、ＰＤＳＣＨ信号をＰＤＳＣＨ受信部２０９に出力する。
【００５３】
設定情報受信部２０６は、分離部２０５から入力される制御信号から、自端末に設定された、データ送信に用いる上り単位バンドおよび下り単位バンド、および、各単位バンドのデータのリソース割当情報が割り当てられたＰＤＣＣＨ信号の送信に使用される下り単位バンドを示す情報を読み取る。そして、設定情報受信部２０６は、読み取った情報を帯域情報としてＰＤＣＣＨ受信部２０８、受信ＲＦ部２０２および送信ＲＦ部２１６に出力する。また、設定情報受信部２０６は、分離部２０５から入力される制御信号から、自端末に設定された端末ＩＤを示す情報を読み取り、読み取った情報を端末ＩＤ情報としてＰＤＣＣＨ受信部２０８に出力する。
【００５４】
ＰＣＦＩＣＨ受信部２０７は、分離部２０５から入力されるＰＣＦＩＣＨ信号からＣＦＩ情報を抽出する。すなわち、ＰＣＦＩＣＨ受信部２０７は、上りリソース割当情報および下りリソース割当情報が割り当てられたＰＤＣＣＨに使用されるＯＦＤＭシンボル数を示すＣＦＩ情報を、自端末に設定された複数の下り単位バンド毎に得る。そして、ＰＣＦＩＣＨ受信部２０７は、抽出したＣＦＩ情報をＰＤＣＣＨ受信部２０８およびＰＤＳＣＨ受信部２０９に出力する。
【００５５】
ＰＤＣＣＨ受信部２０８は、分離部２０５から入力されるＰＤＣＣＨ信号をブラインド復号して、自端末宛てのＰＤＣＣＨ信号（リソース割当情報）を得る。ここで、ＰＤＣＣＨ信号は、設定情報受信部２０６から入力される帯域情報に示される、自端末に設定された下り単位バンドに配置されたＣＣＥ（すなわち、ＰＤＣＣＨ）にそれぞれ割り当てられている。具体的には、まず、ＰＤＣＣＨ受信部２０８は、ＰＣＦＩＣＨ受信部２０７から入力されるＣＦＩ情報に基づいて、ＰＤＣＣＨが配置されたＯＦＤＭシンボル数を下り単位バンド毎に特定する。また、ＰＤＣＣＨ受信部２０８は、設定情報受信部２０６から入力される端末ＩＤ情報に示される自端末の端末ＩＤを用いて自端末のサーチスペースを算出する。ここで、ＰＤＣＣＨ受信部２０８は、設定情報受信部２０６から入力される、各単位バンドのデータのリソース割当情報を示すＰＤＣＣＨが送信される下り単位バンドに対してそれぞれサーチスペースを設定する。そして、ＰＤＣＣＨ受信部２０８は、算出したサーチスペース内の各ＣＣＥに割り当てられたＰＤＣＣＨ信号を復調および復号する。
【００５６】
ここで、ＰＤＣＣＨ受信部２０８は、各単位バンドのデータのリソース割当を行うＰＤＣＣＨそれぞれに対してブラインド復号する。例えば、２つの単位バンド（下り単位バンド１および下り単位バンド２）が存在する場合、ＰＤＣＣＨ受信部２０８は、下り単位バンド１のデータ割当を行うＰＤＣＣＨに対するブラインド復号、および、下り単位バンド２のデータ割当を行うＰＤＣＣＨに対するブラインド復号をそれぞれ行う。また、下り回線データの割当に使用される下り単位バンドと異なる下り単位バンドで送信されたＰＤＣＣＨをブラインド復号する際、ＰＤＣＣＨ受信部２０８は、復調後のＰＤＣＣＨ信号を、下り回線データの割当に使用される下り単位バンドのＣＦＩ情報に対応するスクランブリング系列を用いてデスクランブリングする。例えば、下り単位バンド１において、下り単位バンド２のデータ割当を行うＰＤＣＣＨをブラインド復号する際、ＰＤＣＣＨ受信部２０８は、下り単位バンド２のＣＦＩ情報に対応するスクランブリング系列でＰＤＣＣＨ信号をデスクランブリングする。同様に、下り単位バンド２において、下り単位バンド１のデータ割当を行うＰＤＣＣＨをブラインド復号する際、ＰＤＣＣＨ受信部２０８は、下り単位バンド１のＣＦＩ情報に対応するスクランブリング系列でＰＤＣＣＨ信号をデスクランブリングする。そして、ＰＤＣＣＨ受信部２０８は、デスクランブリング後のＰＤＣＣＨ信号に対して復号処理を行う。
【００５７】
そして、ＰＤＣＣＨ受信部２０８は、復号後のＰＤＣＣＨ信号に対して、端末ＩＤ情報に示される自端末の端末ＩＤでＣＲＣビットをデマスキングすることによりＣＲＣ＝ＯＫ（誤り無し）となったＰＤＣＣＨ信号を自端末宛てのＰＤＣＣＨ信号であると判定する。そして、ＰＤＣＣＨ受信部２０８は、自端末宛てのＰＤＣＣＨ信号に含まれる下りリソース割当情報をＰＤＳＣＨ受信部２０９に出力し、上りリソース割当情報をマッピング部２１３に出力する。一方、ＣＲＣ＝ＯＫとなるＰＤＣＣＨ信号が検出されなかった場合には、ＰＤＣＣＨ受信部２０８は、現在のサブフレームでは自端末宛のデータ割当が無かったものと判断し、次のサブフレームまで待機する。
【００５８】
ＰＤＳＣＨ受信部２０９は、ＰＤＣＣＨ受信部２０８から入力される、複数の下り単位バンドの下りリソース割当情報およびＰＣＦＩＣＨ受信部２０７から入力される複数の下り単位バンドのＣＦＩ情報に基づいて、分離部２０５から入力される、複数の下り単位バンドのＰＤＳＣＨ信号から受信データ（下り回線データ）を抽出する。また、ＰＤＳＣＨ受信部２０９は、抽出した受信データ（下り回線データ）に対して誤り検出を行う。そして、ＰＤＳＣＨ受信部２０９は、誤り検出の結果、受信データに誤りがある場合にはＡＣＫ／ＮＡＣＫ信号としてＮＡＣＫ信号を生成し、受信データに誤りが無い場合にはＡＣＫ／ＮＡＣＫ信号としてＡＣＫ信号を生成し、ＡＣＫ／ＮＡＣＫ信号を変調部２１０に出力する。また、ＰＤＳＣＨ受信部２０９は、受信データに誤りがある場合には、抽出した受信データをＨＡＱＲバッファ（図示せず）に格納する。そして、ＰＤＳＣＨ受信部２０９は、再送データを受信した場合には、ＨＡＲＱバッファに格納している受信済データと、再送データとを合成し、得られる合成信号に対して誤り検出を行う。なお、基地局１００がＰＤＳＣＨ送信をＭＩＭＯ（Multiple-Input Multiple Output）等により空間多重して、２つのデータブロック（Transport Block）を送信している場合には、ＰＤＳＣＨ受信部２０９は、それぞれのデータブロックに対してＡＣＫ／ＮＡＣＫ信号を生成する。
【００５９】
変調部２１０は、ＰＤＳＣＨ受信部２０９から入力されるＡＣＫ／ＮＡＣＫ信号を変調する。なお、基地局１００が各下り単位バンドでＰＤＳＣＨ信号を空間多重して、２つのデータブロックを送信している場合には、変調部２１０は、ＡＣＫ／ＮＡＣＫ信号に対してＱＰＳＫ変調を施す。一方、基地局１００が１つのデータブロックを送信している場合には、変調部２１０は、ＡＣＫ／ＮＡＣＫ信号に対してＢＰＳＫ変調を施す。つまり、変調部２１０は、下り単位バンドあたりのＡＣＫ／ＮＡＣＫ信号として、１つのＱＰＳＫ信号またはＢＰＳＫ信号を生成する。そして、変調部２１０は、変調後のＡＣＫ／ＮＡＣＫ信号をマッピング部２１３に出力する。
【００６０】
変調部２１１は、送信データ（上り回線データ）を変調し、変調後のデータ信号をＤＦＴ（Discrete Fourier transform）部２１２に出力する。
【００６１】
ＤＦＴ部２１２は、変調部２１１から入力されるデータ信号を周波数領域に変換し、得られる複数の周波数成分をマッピング部２１３に出力する。
【００６２】
マッピング部２１３は、ＰＤＣＣＨ受信部２０８から入力される上りリソース割当情報に従って、ＤＦＴ部２１２から入力されるデータ信号を、上り単位バンドに配置されたＰＵＳＣＨにマッピングする。また、マッピング部２１３は、変調部２１０から入力されるＡＣＫ／ＮＡＣＫ信号を、上り単位バンドに配置されたＰＵＣＣＨにマッピングする。
【００６３】
なお、変調部２１０、変調部２１１、ＤＦＴ部２１２およびマッピング部２１３は上り単位バンド毎に設けられてもよい。
【００６４】
ＩＦＦＴ部２１４は、ＰＵＳＣＨにマッピングされた複数の周波数成分を時間領域波形に変換し、ＣＰ付加部２１５は、その時間領域波形にＣＰを付加する。
【００６５】
送信ＲＦ部２１６は、送信帯域を変更可能に構成されており、設定情報受信部２０６から入力される帯域情報に基づいて、送信帯域を設定する。そして、送信ＲＦ部２１６は、ＣＰが付加された信号に送信無線処理（アップコンバート、Ｄ／Ａ変換等）を施してアンテナ２０１を介して送信する。
【００６６】
次に、基地局１００および端末２００の動作の詳細について説明する。
【００６７】
以下の説明では、下り回線データに対するリソース割当について説明する。また、基地局１００の設定部１０１（図３）は、図５に示す２つの下り単位バンド（単位バンド１および単位バンド２）を端末２００（図４）に設定する。また、基地局１００の制御部１０２は、各下り単位バンドに配置されるＰＤＣＣＨが使用されるＯＦＤＭシンボル数（ＰＤＣＣＨ領域）を示すＣＦＩ情報を、下り単位バンド毎に生成する。図５に示す、あるサブフレームでは、基地局１００の制御部１０２は、下り単位バンド１のＣＦＩ情報をＣＦＩ＝３（つまり、３ＯＦＤＭシンボル）とし、下り単位バンド２のＣＦＩ情報をＣＦＩ＝１（つまり、１ＯＦＤＭシンボル）とする。なお、ＣＦＩ情報は、ＣＦＩ＝１〜３（つまり１〜３ＯＦＤＭシンボル）のいずれか１つの値となる。
【００６８】
また、基地局１００は、図５に示すように、下り単位バンド２で送信する下り回線データ（ＰＤＳＣＨ信号）のリソース割当情報を、下り単位バンド１に配置されたＰＤＣＣＨを用いて送信する。つまり、図５では、下り回線データの割当に使用される下り単位バンド（下り単位バンド２）と、その下り回線データのリソース割当情報が割り当てられるＰＤＣＣＨを送信する下り単位バンド（下り単位バンド１）とは互いに異なる。また、図５では、基地局１００は、さらに、下り単位バンド１で送信する下り回線データ（ＰＤＳＣＨ信号）のリソース割当情報を、下り単位バンド１に配置されたＰＤＣＣＨを用いて送信する（図示せず）。つまり、基地局１００は、複数の下り単位バンドを使用して端末２００宛ての複数の下り回線データを送信するとともに、複数の下り回線データの各リソース割当情報がそれぞれ割り当てられた複数のＰＤＣＣＨ信号を送信する。
【００６９】
このとき、基地局１００のスクランブリング部１０５は、図５に示すように、下り単位バンド２で送信される下り回線データのリソース割当情報が割り当てられたＰＤＣＣＨ（図５に示す下り単位バンド１に配置されたＰＤＣＣＨ）を、下り回線データが送信される下り単位バンド２のＣＦＩ情報（ＣＦＩ＝１）に対応するスクランブリング系列でスクランブリングする。
【００７０】
例えば、スクランブリング部１０５は、次式（１）に従って、符号化部１０４でチャネル符号化されたＰＤＣＣＨ信号のビット列ｂ（ｉ）（ただし、ｉは、ビット列のインデックスを示す）に対して、各ＣＦＩ情報に対応するスクランブリング系列ｃ’（ｉ）をビット単位で乗算して、スクランブリング後のＰＤＣＣＨ信号のビット列ｂ〜（ｉ）を生成する。
【数１】
2010150512.tif 000003
【００７１】
ここで、スクランブリング系列ｃ’（ｉ）は‘０’または‘１’のビット系列であり、演算子ｍｏｄはモジュロ演算を示す。また、図５では、ＣＦＩ＝１〜３にそれぞれ対応する３種類のスクランブリング系列ｃ’（ｉ）が用いられる。
【００７２】
これにより、図５に示す下り単位バンド１では、ＣＦＩ＝１に対応するスクランブリング系列でスクランブリングされたＰＤＣＣＨ信号が送信され、下り単位バンド２では、ＰＤＳＣＨ信号が送信される。なお、スクランブリング部１０５は、下り単位バンド１で送信する下り回線データ（ＰＤＳＣＨ信号）のリソース割当情報が割り当てられた、下り単位バンド１に配置されたＰＤＣＣＨ（図示せず）に対しては、スクランブリングしない。
【００７３】
端末２００のＰＣＦＩＣＨ受信部２０７は、図５に示す下り単位バンド１のＰＣＦＩＣＨリソースに割り当てられたＰＣＦＩＣＨ信号から、下り単位バンド１のＣＦＩ情報を抽出し、下り単位バンド２のＰＣＦＩＣＨリソースに割り当てられたＰＣＦＩＣＨ信号から、下り単位バンド２のＣＦＩ情報を抽出する。
【００７４】
そして、ＰＤＣＣＨ受信部２０８は、図５に示す下り単位バンド１のＣＦＩ情報に基づいて下り単位バンド１のＰＤＣＣＨ領域（ＯＦＤＭシンボル数）を特定し、下り単位バンド２のＣＦＩ情報に基づいて下り単位バンド２のＰＤＣＣＨ領域（ＯＦＤＭシンボル数）を特定する。そして、ＰＤＣＣＨ受信部２０８は、下り単位バンド１で送信される下り回線データのリソース割当情報が割り当てられたＰＤＣＣＨ信号および下り単位バンド２で送信される下り回線データのリソース割当情報が割り当てられたＰＤＣＣＨ信号をそれぞれブラインド復号する。ただし、ＰＤＣＣＨ受信部２０８は、図５に示す下り単位バンド１において、下り単位バンド２で送信される下り回線データのリソース割当情報が割り当てられたＰＤＣＣＨ信号に対するブラインド復号を行う際、ＰＣＦＩＣＨ受信部２０７で抽出された、下り単位バンド２のＣＦＩ情報に対応するスクランブリング系列で、ＰＤＣＣＨ信号をデスクランブリングする。一方、ＰＤＣＣＨ受信部２０８は、図５に示す下り単位バンド１において、下り単位バンド１で送信される下り回線データのリソース割当情報が割り当てられたＰＤＣＣＨ信号に対するブラインド復号を行う際には、デスクランブリングしない。図５に示す下り単位バンド２においても同様である。
【００７５】
つまり、ＰＤＣＣＨ受信部２０８は、複数の下り単位バンドにおいて、下り回線データの割当に使用される下り単位バンドと異なる下り単位バンドで送信されたＰＤＣＣＨ信号をブラインド復号する際、ＰＤＣＣＨ信号を、下り回線データの割当に使用される下り単位バンドのＣＦＩ情報に対応するスクランブリング系列でデスクランブリングする。
【００７６】
ここで、例えば、端末２００が、図５に示す下り単位バンド２のＣＦＩ情報（ＣＦＩ＝１）を正常に判定した場合について説明する。なお、端末２００は、図５に示す下り単位バンド１のＣＦＩ情報（ＣＦＩ＝３）を正常に判定する。
【００７７】
この場合、端末２００のＰＤＣＣＨ受信部２０８は、図５に示す下り単位バンド１において、下り単位バンド２で送信される下り回線データのリソース割当情報が割り当てられたＰＤＣＣＨ信号に対するブラインド復号を行う際、下り単位バンド２のＣＦＩ情報であるＣＦＩ＝１に対応するスクランブリング系列で、ＰＤＣＣＨ信号をデスクランブリングする。すなわち、ＰＤＣＣＨ受信部２０８は、基地局１００のスクランブリング部１０５で用いたスクランブリング系列（ＣＦＩ＝１に対応するスクランブリング系列）と同一のスクランブリング系列を用いる。よって、ＰＤＣＣＨ受信部２０８では、ＰＤＣＣＨ信号の復号の結果、ＰＤＣＣＨ信号のＣＲＣ＝ＯＫ（誤り無し）となる。
【００７８】
これにより、ＰＤＳＣＨ受信部２０９は、ＰＤＣＣＨ信号に含まれるリソース割当情報に示される下り回線データの周波数リソース、および、ＣＦＩ情報から特定される下り回線データの開始ＯＦＤＭシンボルに基づいて、ＰＤＳＣＨ信号から下り回線データを抽出することができる。また、ＰＤＳＣＨ受信部２０９は、例えば、図１に示すように、抽出した下り回線データを、正常な開始ＯＦＤＭシンボルから順にＨＡＲＱバッファに格納する。よって、この場合、下り回線データの復号結果に誤りがある場合でも、端末２００は、基地局１００からの再送データと、ＨＡＲＱバッファに格納されている受信済データとを合成することにより、データの受信品質を向上させることができる。
【００７９】
次に、端末２００が、図５に示す下り単位バンド２のＣＦＩ情報（ＣＦＩ＝１）を誤ってＣＦＩ＝３として判定した場合について説明する。なお、端末２００は、図５に示す下り単位バンド１のＣＦＩ情報（ＣＦＩ＝３）を正常に判定する。
【００８０】
この場合、端末２００のＰＤＣＣＨ受信部２０８は、図５に示す下り単位バンド１において、下り単位バンド２で送信される下り回線データのリソース割当情報が割り当てられたＰＤＣＣＨ信号に対するブラインド復号を行う際、下り単位バンド２のＣＦＩ情報であるＣＦＩ＝３に対応するスクランブリング系列で、ＰＤＣＣＨ信号をデスクランブリングする。ここで、基地局１００のスクランブリング部１０５は、ＣＦＩ＝１に対応するスクランブリング系列でＰＤＣＣＨ信号をスクランブリングしている。すなわち、基地局１００におけるスクランブリングで用いたスクランブリング系列（ＣＦＩ＝１に対応）と、端末２００におけるデスクランブリングで用いたスクランブリング系列（ＣＦＩ＝３に対応）は互いに異なる。よって、ＰＤＣＣＨ受信部２０８では、ＰＤＣＣＨ信号を復号しても正常な復号結果は得られず、ＰＤＣＣＨ信号のＣＲＣ＝ＮＧ（誤り有り）となる。
【００８１】
このように、端末２００は、下り回線データが送信される下り単位バンドのＣＦＩ情報を正常に判定した場合のみ、基地局１００で用いたスクランブリング系列と同一のスクランブリング系列を用いて、その下り回線データのリソース割当情報が割り当てられたＰＤＣＣＨ信号をデスクランブリングすることで、ＰＤＣＣＨ信号を得ることができる。
【００８２】
一方、端末２００は、下り回線データが送信される下り単位バンドのＣＦＩ情報を誤って受信した場合には、基地局１００で用いたスクランブリング系列と異なるスクランブリング系列を用いて、その下り回線データのリソース割当情報が割り当てられたＰＤＣＣＨ信号をデスクランブリングする。このため、端末２００は、下り回線データが送信される下り単位バンドのＣＦＩ情報を誤って判定した場合には、ＰＤＣＣＨ信号を正常に復号することができない。つまり、端末２００では、下り回線データが送信される下り単位バンドのＣＦＩ情報を誤って判定した場合には、その下り回線データのリソース割当情報が割り当てられたＰＤＣＣＨ信号の受信も誤る。換言すると、下り回線データのリソース割当情報が割り当てられたＰＤＣＣＨ信号のＣＲＣがＯＫであれば、その下り回線データが送信される下り単位バンドのＣＦＩ情報は正常に判定されたことを意味する。
【００８３】
ここで、ＰＤＣＣＨ信号を正常に復号することができない場合、端末２００は、ＡＣＫ／ＮＡＣＫ信号を送信しない（すなわち、ＤＴＸ）ため、基地局１００は、同一のデータを再送データとしてではなく、初回送信データとして送信する。つまり、基地局１００は、初回送信を示すＨＡＲＱ情報（ＮＤＩ:New Data Indicator）を制御情報で通知する。
【００８４】
よって、端末２００では、下り回線データが送信される下り単位バンドのＣＦＩ情報に誤りがある場合には、その下り単位バンドで下り回線データを受信しないので、ＨＡＲＱバッファの誤った位置に下り回線データを格納することはない。このため、図２に示すように、ＨＡＲＱバッファの誤った位置に下り回線データを格納することによる無駄なＨＡＲＱ再送は発生せず、さらに、上位レイヤ（例えば、ＲＬＣレイヤ）の再送が頻発することも無くなる。これにより、データの伝送遅延を低減することができ、かつ、ＨＡＲＱ再送のためのリソース消費を抑えることができるため、スループット改善および基地局１００の処理量の低減が可能となる。
【００８５】
上述したように、端末２００は、下り単位バンド毎に受信したＣＦＩ情報に対応するスクランブリング系列を用いてデスクランブリングすることにより、下り回線データが送信される下り単位バンドのＣＦＩ情報が正常に判定された場合のみ、その下り単位バンドの下り回線データを受信できるようにしている。つまり、基地局１００が下り単位バンド毎にＣＦＩ情報を通知することにより、端末２００は、下り回線データが送信される下り単位バンドで受信したＣＦＩ情報に対応したスクランブリング系列のみをデスクランブリングに用いて、そのＣＦＩ情報が正しいことを判断することができる。つまり、端末２００は、取り得るすべてのＣＦＩ情報（ここではＣＦＩ＝１〜３）に対応するスクランブリング系列を用いてデスクランブリングする必要がないため、ブラインド復号回数が増加することはない。よって、デスクランブリングのための端末２００の処理量を増加させることなく、無駄なＨＡＲＱ再送の発生を防ぐことができる。また、端末２００では、ブラインド復号の回数が増加しないため、自端末宛てのＰＤＣＣＨ信号の誤検出率（False Alarm）も増加させることもない。また、ＰＤＣＣＨで送信される制御情報の中にＣＦＩ情報を含める必要もないため、制御オーバーヘッドを増加させることもない。
【００８６】
このように、本実施の形態によれば、端末が複数の単位バンドを使用する際に、データが送信される単位バンドと、そのデータのリソース割当情報が割り当てられるＰＤＣＣＨが送信される単位バンドとが互いに異なる場合でも、無駄なＨＡＲＱ再送の発生を防ぐことができる。
【００８７】
なお、本発明において、セルＩＤ等に応じた他のスクランブリング系列ｃ（ｉ）を用いたスクランブリングも同時に行われる場合には、基地局は、式（１）の代わりに次式（２）を用いてＰＤＣＣＨ信号をスクランブリングしてもよい。
【数２】
2010150512.tif 000004
【００８８】
また、本発明において、基地局および端末は、ＣＦＩ情報とスクランブリング系列との対応付けを示すテーブルを予め保持してもよい。または、基地局および端末は、ＣＦＩ情報およびセルＩＤを系列生成器の初期値として用いて発生されるスクランブリング系列を用いてもよい。例えば、ＣＦＩ情報と、ＬＴＥで定義されるセルＩＤにより算出される値とを加算した値を系列生成器の初期値としてもよい。これにより、本発明では、ＬＴＥの設計を最大限利用できるため、ＬＴＥに対してより簡易に端末を構成することができる。
【００８９】
また、本実施の形態では、基地局が式（１）に示すようにＰＤＣＣＨ信号のビット列に対してスクランブリングを行う場合について説明した。しかし、本発明では、基地局は、変調後のＰＤＣＣＨ信号のシンボルに対してシンボル単位でスクランブリングを行ってもよい。この場合、スクランブリング系列は、‘１’または‘−１’のバイナリ系列、または、複素系列となる。つまり、基地局は、変調後のＰＤＣＣＨ信号のシンボルに対して、スクランブリング系列をシンボル単位で乗算する。
【００９０】
また、本実施の形態では、基地局が、ＰＤＣＣＨ信号をそのＰＤＣＣＨ信号に含まれる下りリソース割当情報に示されるリソース割当対象の下り単位バンドと異なる下り単位バンドを用いて送信する場合にのみ、そのＰＤＣＣＨ信号に対してリソース割当対象の下り単位バンドのＣＦＩ情報に対応するスクランブリング系列でスクランブリングする場合について説明した。しかし、本発明では、基地局は、ＰＤＣＣＨ信号をそのＰＤＣＣＨ信号に含まれる下りリソース割当情報に示されるリソース割当対象の下り単位バンドと同じ単位バンドを用いて送信する場合でも、そのＰＤＣＣＨ信号に対してリソース割当対象の下り単位バンドのＣＦＩ情報に対応したスクランブリング系列でスクランブリングを施してもよい。この場合、基地局および端末では、いずれのＰＤＣＣＨ信号に対しても同一の送信処理および受信処理となるので、送受信機（基地局および端末）の簡素化が可能となる。
【００９１】
また、本実施の形態では、基地局が、下り回線データが送信される下り単位バンドのＣＦＩ情報に対応するスクランブリング系列で、その下り回線データのリソース割当情報が割り当てられたＰＤＣＣＨ信号をスクランブリングする場合について説明した。しかし、基地局は、スクランブリングの代わりに、ＣＦＩ情報に応じたインターリーブ（つまり、符号化後のビット列または変調後のシンボルの並べ替え）を行っても本発明と同様の効果を得ることができる。例えば、基地局および端末は、ＣＦＩ情報に対応するインターリーブパターンをそれぞれ共有して予め保持してもよい。
【００９２】
（実施の形態２）
本実施の形態では、各単位バンドで送信されるデータのリソース割当情報が割り当てられるＰＤＣＣＨ信号を、いずれの下り単位バンドにも割当可能な場合について説明する。すなわち、基地局は、各下り単位バンドに共通のサーチスペースを設定し、ＰＤＣＣＨ信号をいずれかの下り単位バンドに設定されたサーチスペースに割り当てる。また、端末は、各下り単位バンドのサーチスペースにおいて、各単位バンドで送信されるデータのリソース割当情報が割り当てられたＰＤＣＣＨ信号をブラインド復号する。
【００９３】
以下、具体的に説明する。なお、本実施の形態に係る基地局１００（図３）および端末２００（図４）は、実施の形態１と同様の構成であるが、設定部１０１、スクランブリング部１０５、割当部１０７、設定情報受信部２０６およびＰＤＣＣＨ受信部２０８の動作が異なる。
【００９４】
基地局１００の設定部１０１（図３）は、実施の形態１と異なり、各単位バンドで送信されるデータのリソース割当情報が割り当てられるＰＤＣＣＨ信号を送信する下り単位バンドの設定を行わない。よって、端末２００の設定情報受信部２０６（図４）に入力される設定情報には、各単位バンドのデータのリソース割当情報が割り当てられたＰＤＣＣＨ信号が送信される下り単位バンドを示す情報が含まれない。つまり、基地局１００は、ＰＤＣＣＨ信号を、各端末に設定された複数の下り単位バンドのいずれの下り単位バンドでも送信することができる。
【００９５】
スクランブリング部１０５は、符号化部１０４から入力されるＰＤＣＣＨ信号が送信される下り単位バンドと、そのＰＤＣＣＨ信号に含まれる下りリソース割当情報に示されるリソース割当対象の下り単位バンドとが異なる場合、かつ、制御部１０２で設定される各ＰＤＣＣＨ信号のＣＣＥ数が、予め設定されたＣＣＥ数以上（例えば、４ＣＣＥ以上）の場合、そのＰＤＣＣＨ信号に含まれるリソース割当情報に示されるリソース割当対象の下り単位バンドのＣＦＩ情報に対応するスクランブリング系列で、ＰＤＣＣＨ信号をスクランブリングする。一方、スクランブリング部１０５は、制御部１０２で設定される各ＰＤＣＣＨ信号のＣＣＥ数が予め設定されたＣＣＥ数未満（例えば、４ＣＣＥ未満）の場合、そのＰＤＣＣＨ信号に対してスクランブリングしない。
【００９６】
割当部１０７は、端末に設定された複数の下り単位バンドすべてに対して共通のサーチスペースを設定する。そして、割当部１０７は、変調部１０６から入力されるＰＤＣＣＨ信号を、複数の下り単位バンドのうちいずれかの下り単位バンドのサーチスペース内のＣＣＥに割り当てる。
【００９７】
一方、端末２００のＰＤＣＣＨ受信部２０８（図４）は、割当部１０７と同様にして、自端末に設定された複数の下り単位バンドに対して共通のサーチスペースを設定する。そして、ＰＤＣＣＨ受信部２０８は、各下り単位バンドのサーチスペース内で、取り得るＣＣＥ連結数（例えば、ＣＣＥ連結数１，２，４）それぞれに対して、ＰＤＣＣＨ信号のブラインド復号を行う。ただし、下り回線データの割当に使用される下り単位バンドと異なる下り単位バンドで送信されたＰＤＣＣＨに対するブラインド復号の際、ＰＤＣＣＨ受信部２０８は、ＣＣＥ連結数が、予め設定されたＣＣＥ数（例えば、４ＣＣＥ）以上の場合、そのＣＣＥ連結数のＰＤＣＣＨ信号（ＰＤＣＣＨ割当候補）を、ＰＣＦＩＣＨ受信部２０７が抽出したＣＦＩ情報（つまり、下り回線データの割当に使用される下り単位バンドのＣＦＩ情報）に対応するスクランブリング系列でデスクランブリングする。一方、ＰＤＣＣＨ受信部２０８は、ＣＣＥ連結数が、予め設定されたＣＣＥ数（例えば、４ＣＣＥ）未満の場合、そのＰＤＣＣＨ信号に対してデスクランブリングしない。
【００９８】
次に、基地局１００および端末２００の動作の詳細について説明する。
【００９９】
以下の説明では、基地局１００の割当部１０７（図３）および端末２００のＰＤＣＣＨ受信部２０８（図４）は、図６に示すように、端末２００に設定された下り単位バンド１および下り単位バンド２のＰＤＣＣＨ領域において、単位バンドあたり４ＣＣＥを各単位バンドに共通のサーチスペースとして設定する。つまり、図６に示す下り単位バンド１および下り単位バンド２に設定されたサーチスペースには、単位バンド１のデータ割当用のＰＤＣＣＨおよび単位バンド２のデータ割当用のＰＤＣＣＨのいずれかが割り当てられる。また、ＰＤＣＣＨのＣＣＥ連結数は１、２、４のいずれかの値となる。つまり、図６に示すように、１つの下り単位バンドのサーチスペース内において、各ＣＣＥ連結数（１、２、４）のＰＤＣＣＨ割当候補は、１ＣＣＥの場合には４候補、２ＣＣＥの場合には２候補、４ＣＣＥの場合には１候補となり、合計７候補となる。すなわち、割当部１０７は、ＣＣＥ連結数が１ＣＣＥの場合には、図６に示すサーチスペース内の１ＣＣＥを選択し、ＣＣＥ連結数が２ＣＣＥの場合には、図６に示すサーチスペース内の２ＣＣＥを選択し、ＣＣＥ連結数が４ＣＣＥの場合には、図６に示すサーチスペース内のすべてのＣＣＥを選択する。
【０１００】
ここで、ＣＣＥ連結数が多いほど、より多くのリソースを用いるため、基地局１００は、より低い符号化率でＰＤＣＣＨ信号を送信することができる。そこで、割当部１０７は、端末２００から報告される受信品質情報（ＣＱＩ）に基づいてＣＣＥ連結数を選択する。具体的には、受信品質が劣悪な場合には、基地局１００では、ＰＤＣＣＨ信号を十分な受信品質で受信されるようにより低い符号化率でＰＤＣＣＨ信号を送信する必要がある。そのため、割当部１０７は、受信品質が劣悪な場合には、より多くのＣＣＥ連結数、例えば、４ＣＣＥを選択する。一方、受信品質が良好な場合には、基地局１００は、高い符号化率でもＰＤＣＣＨ信号を十分な受信品質で送信することができる。そのため、割当部１０７は、受信品質が良好な場合には、より少ないＣＣＥ連結数、例えば、１ＣＣＥを選択する。
【０１０１】
また、ここでは、基地局１００および端末２００では、ＣＦＩ情報に対応するスクランブリング系列を用いてスクランブリング（またはデスクランブリング）を行うか否かを判断する閾値であるＣＣＥ連結数として、４ＣＣＥが予め設定されている。
【０１０２】
よって、基地局１００のスクランブリング部１０５は、符号化部１０４から入力されるＰＤＣＣＨ信号が送信される下り単位バンドと、そのＰＤＣＣＨ信号に含まれる下りリソース割当情報に示されるリソース割当対象の下り単位バンドとが異なる場合、かつ、符号化部１０４から入力されるＰＤＣＣＨ信号の送信に用いるＣＣＥ連結数が４ＣＣＥ以上である場合には、制御部１０２から入力されるＣＦＩ情報に対応するスクランブリング系列で、ＰＤＣＣＨ信号をスクランブリングする。つまり、図６では、ＰＤＣＣＨ信号の送信に用いるＣＣＥ連結数が４ＣＣＥの場合のみ、スクランブリング部１０５は、ＰＤＣＣＨ信号に対して、ＣＦＩ情報を用いたスクランブリングを行う。すなわち、スクランブリング部１０５は、図６に示すＰＤＣＣＨ割当候補の７候補のうち、ＣＣＥ連結数が４ＣＣＥの場合の１候補以外の６候補では、ＰＤＣＣＨ信号に対して、ＣＦＩ情報を用いたスクランブリングを行わない。
【０１０３】
一方、端末２００のＰＤＣＣＨ受信部２０８は、図６に示すように、自端末に設定された下り単位バンド１および下り単位バンド２にそれぞれ設定されたサーチスペース内の各ＰＤＣＣＨ割当候補についてブラインド復号を行う。具体的には、ＰＤＣＣＨ受信部２０８は、ＰＤＣＣＨ信号の復号の試行および自端末の端末ＩＤによるデマスキングをした後に、ＰＤＣＣＨ信号のＣＲＣで誤り検出を行う。
【０１０４】
ただし、予め設定されたＣＣＥ数以上のＣＣＥ連結数のＰＤＣＣＨ割当候補に対するブラインド復号の際には、ＰＤＣＣＨ受信部２０８は、さらに、実施の形態１と同様にして、復調後のＰＤＣＣＨ信号を、そのＰＤＣＣＨ信号が配置された下り単位バンドと異なる下り単位バンドのＣＦＩ情報に対応するスクランブリング系列でデスクランブリングする。つまり、予め設定されたＣＣＥ数以上のＣＣＥ連結数のＰＤＣＣＨ割当候補に対するブラインド復号の際には、ＰＤＣＣＨ受信部２０８は、デスクランブリングを行わない場合のブラインド復号、および、デスクランブリングを行う場合のブラインド復号の２種類のブラインド復号を、各下り単位バンドに対してそれぞれ行う。ここで、デスクランブリングを行わない場合のブラインド復号とは、同一の単位バンドで送信される下り回線データのリソース割当情報が割り当てられたＰＤＣＣＨ信号に対するブラインド復号である。一方、デスクランブリングを行う場合のブラインド復号とは、異なる単位バンドで送信される下り回線データのリソース割当情報が割り当てられたＰＤＣＣＨ信号に対するブラインド復号である。
【０１０５】
つまり、ＣＣＥ連結数が４ＣＣＥのＰＤＣＣＨ割当候補に対しては、ＰＤＣＣＨ受信部２０８は、そのＰＤＣＣＨ割当候補が配置された下り単位バンドと異なる下り単位バンドのＣＦＩ情報を用いたスクランブリングが行われている場合、および、ＣＦＩ情報を用いたスクランブリングが行われていない場合の双方を想定する。そして、ＰＤＣＣＨ受信部２０８は、デスクランブリングを行わない場合およびデスクランブリングを行う場合の２種類のブラインド復号を、２つの下り単位バンド（図６に示す下り単位バンド１および下り単位バンド２）で行う。例えば、図６では、ＰＤＣＣＨ受信部２０８は、下り単位バンド１（または下り単位バンド２）において、ＣＣＥ連結数が４ＣＣＥのＰＤＣＣＨ割当候補に対して、下り単位バンド２（または下り単位バンド１）のＣＦＩ情報に対応するスクランブリング系列を用いたデスクランブリングを行うブラインド復号、および、ＣＦＩ情報を用いたデスクランブリングを行わないブラインド復号の２種類のブラインド復号を行う。
【０１０６】
一方、ＣＣＥ連結数が４ＣＣＥ以外（図６に示す１ＣＣＥ、２ＣＣＥの場合）のＰＤＣＣＨ割当候補に対して、ＰＤＣＣＨ受信部２０８は、ＣＦＩ情報を用いたデスクランブリングを行わないブラインド復号のみを、各下り単位バンドに対してそれぞれ行う。
【０１０７】
ここで、例えば、基地局１００が、ＰＤＣＣＨ信号をいずれの下り単位バンドにも割り当ることが可能な場合に、端末２００が、すべてのＣＣＥ連結数（ここでは、ＣＣＥ連結数１、２、４）に対して、ＣＦＩ情報に対応するスクランブリング系列でデスクランブリングを行うと、２つの下り単位バンドで合計２８（＝７（ＰＤＣＣＨ割当候補）×２（ブラインド復号の種類）×２（下り単位バンド数））回の復号試行回数が必要となる。これに対し、本実施の形態では、２つの下り単位バンドで合計１６（＝６（ＣＣＥ連結数が４ＣＣＥ未満のＰＤＣＣＨ割当候補）×１（ブラインド復号の種類）＋（１（ＣＣＥ連結数が４ＣＣＥ以上のＰＤＣＣＨ割当候補）×２（ブラインド復号の種類））×２（下り単位バンド数））回の復号試行回数に低減することができる。
【０１０８】
一般に、ＣＦＩ情報を含むＰＣＦＩＣＨ信号は、基地局１００のセル内の全ての端末に対して送信されるため、ほぼ一定の送信電力で送信される。そのため、セル境界付近に位置する端末ほど、ＣＦＩ情報の受信誤りが発生しやすく、セル中心付近に位置する端末ほど、ＣＦＩ情報の受信誤りが発生しにくくなる。
【０１０９】
また、上述したように、基地局１００は、受信品質が良好であるセル中心付近に位置する端末に対して、より少ないＣＣＥ連結数のＰＤＣＣＨを割り当てる。一方、基地局１００は、受信品質が劣悪であるセル境界付近に位置する端末に対して、より多いＣＣＥ連結数のＰＤＣＣＨを割り当てる。
【０１１０】
よって、基地局１００は、ＣＦＩ情報の受信誤りが発生しやすいセル境界付近に位置する端末に用いる可能性が低い（すなわち、ＣＦＩ情報の受信誤りが発生しにくいセル中心付近に位置する端末に用いる可能性が高い）、ＣＣＥ連結数がより少ないＰＤＣＣＨ信号（図６では４ＣＣＥ未満のＰＤＣＣＨ信号）に対して、ＣＦＩ情報を用いたスクランブリングを行わなくても、ＣＦＩ情報の受信誤りは発生しにくい。このため、ＣＦＩ情報の受信誤りによるＨＡＲＱ再送が発生する可能性は低い。
【０１１１】
一方、基地局１００は、ＣＦＩ情報の受信誤りが発生しやすいセル境界付近に位置する端末に用いる可能性が高い、ＣＣＥ連結数がより多いＰＤＣＣＨ信号（図６では４ＣＣＥ以上のＰＤＣＣＨ信号）に対して、ＣＦＩ情報を用いたスクランブリングを行うことで、実施の形態１と同様、ＣＦＩ情報の受信誤りによる無駄なＨＡＲＱ再送を防ぐことができる。
【０１１２】
このようにして、本実施の形態によれば、端末が複数の単位バンドを使用し、かつ、各単位バンドのリソース割当情報が割り当てられるＰＤＣＣＨ信号に対して複数の下り単位バンドに共通のサーチスペースを設定する場合でも、実施の形態１と同様にして、無駄なＨＡＲＱ再送の発生を防ぐことができる。さらに、本実施の形態によれば、基地局は、ＣＦＩ情報の受信誤りが発生しやすいセル境界付近に位置する端末に対するＰＤＣＣＨ信号（ＣＣＥ連結数が予め設定された閾値以上のＰＤＣＣＨ信号）に対してのみ、ＣＦＩ情報を用いてスクランブリングするため、端末でのブラインド復号の回数を低減することができる。
【０１１３】
なお、本発明において、ＣＦＩ情報に対応するスクランブリング系列を用いてスクランブリングするか否かを判断するための閾値である、予め設定されたＣＣＥ数（本実施の形態では４ＣＣＥ）は、固定の値でもよく、基地局から端末へ通知してもよい。
【０１１４】
また、本発明において、端末に対して設定される下り単位バンド数は３つ以上でもよい。このとき、ブラインド復号対象の下り単位バンドと異なる複数の下り単位バンドで抽出したＣＦＩ情報が同一の場合には、端末は、抽出したＣＦＩ情報を用いたデスクランブリングを行うブラインド復号の１回のみを行うようにしてもよい。例えば、端末に３個の下り単位バンド１〜３が設定されている場合に、ブラインド復号対象の下り単位バンド１以外の２つの下り単位バンド２，３で抽出したＣＦＩ情報が同一の場合には、端末は、ブラインド復号対象の下り単位バンド１において、ＣＦＩ情報を用いたデスクランブリングを行うブラインド復号については、その抽出したＣＦＩ情報を用いた１回のデスクランブリングのみ行えばよい。
【０１１５】
（実施の形態３）
本実施の形態では、実施の形態２と同様、基地局は、各単位バンドで送信されるデータのリソース割当情報が割り当てられるＰＤＣＣＨ信号を、いずれの下り単位バンドにも割当可能であり、さらに、基地局が、複数のフォーマットを用いて、制御情報（例えば、ＰＤＣＣＨ信号）を端末に割り当てる場合について説明する。
【０１１６】
ここで、制御情報のフォーマットには、情報ビット数が多いフォーマットおよび情報ビット数が少ないフォーマットがある。例えば、ＭＩＭＯ送信（空間多重送信）する場合には、Precoding情報または複数のストリームに対するＭＣＳ情報等を通知する必要があるため、制御情報のフォーマットの情報ビット数は多くなる。一方、ＭＩＭＯ送信ではない場合またはリソース割当を連続ＲＢの割当に制限する場合には、制御情報のフォーマットの情報ビット数は少なくなる。
【０１１７】
例えば、ＬＴＥでは、基地局は、下り回線のリソース割当において、リソース割当を連続ＲＢ割当に限定した場合のフォーマットであるFormat 1A、および、端末モードに応じたフォーマット（例えば、ＭＩＭＯ送信向けのフォーマットであるFormat 2）の２種類のフォーマットのいずれかを選択して端末に割り当てることができる。基地局は、例えば、端末の受信品質が良好な場合にはFormat 2（情報ビット数が多いフォーマット）を用いて、ＭＩＭＯ送信されるデータの割当を行う。一方、基地局は、端末の受信品質が劣悪な場合にはFormat 1A（情報ビット数が少ないフォーマット）を用いて、データの割当を行うことで、制御情報のオーバーヘッドを抑えることが可能となる。
【０１１８】
すなわち、基地局は、受信品質が良好であるセル中心付近に位置する端末に対しては、Format 2（情報ビット数が多いフォーマット）を用いる可能性が高く、受信品質が劣悪であるセル境界付近に位置する端末に対しては、Format 1A（情報ビット数が少ないフォーマット）を用いる可能性が高い。換言すると、基地局は、ＣＦＩ情報の受信誤りが発生しにくいセル中心付近に位置する端末に対しては、Format 2（情報ビット数が多いフォーマット）を用いる可能性が高く、ＣＦＩ情報の受信誤りが発生しやすいセル境界付近に位置する端末に対しては、Format 1A（情報ビット数が少ないフォーマット）を用いる可能性が高い。
【０１１９】
そこで、本実施の形態では、基地局は、複数のフォーマットのいずれかを用いて制御情報（ＰＤＣＣＨ信号）を送信する際、最も少ない情報ビット数のフォーマットの制御情報に対してのみ、実施の形態１と同様にして、ＣＦＩ情報を用いたスクランブリングを行う。
【０１２０】
以下、具体的に説明する。なお、本実施の形態に係る基地局１００（図３）および端末２００（図４）は、実施の形態１と同様の構成であるが、設定部１０１、制御部１０２、スクランブリング部１０５、割当部１０７、設定情報受信部２０６およびＰＤＣＣＨ受信部２０８の動作が異なる。
【０１２１】
基地局１００の設定部１０１（図３）は、実施の形態２と同様、各単位バンドで送信されるデータのリソース割当情報が割り当てられるＰＤＣＣＨ信号を送信する下り単位バンドの設定を行わない。よって、端末２００の設定情報受信部２０６（図４）に入力される設定情報には、各単位バンドのデータのリソース割当情報が割り当てられたＰＤＣＣＨ信号が送信される下り単位バンドを示す情報が含まれない。つまり、基地局１００は、ＰＤＣＣＨ信号を、各端末に設定された複数の下り単位バンドのいずれの下り単位バンドでも送信することができる。また、設定部１０１は、各端末に設定され得るＰＤＣＣＨ信号のフォーマット（例えば、Format 1AおよびFormat 2の２種類のフォーマット）を設定する。
【０１２２】
制御部１０２は、端末の受信能力等（例えば、各端末から報告される受信品質情報）に基づいて、ＰＤＣＣＨ信号のフォーマットを設定する。そして、制御部１０２は、実施の形態１と同様にして、設定したフォーマットに従って、端末に対する上りリソース割当情報、および、下りリソース割当情報を生成する。
【０１２３】
スクランブリング部１０５は、符号化部１０４から入力されるＰＤＣＣＨ信号が送信される下り単位バンドと、そのＰＤＣＣＨ信号に含まれる下りリソース割当情報に示されるリソース割当対象の下り単位バンドとが異なる場合、制御部１０２で設定され得るＰＤＣＣＨ信号のフォーマットのうち、情報ビット数が最も小さいフォーマットで送信されるＰＤＣＣＨ信号に対してのみ、そのＰＤＣＣＨ信号に含まれるリソース割当情報に示されるリソース割当対象の下り単位バンドのＣＦＩ情報に対応するスクランブリング系列で、ＰＤＣＣＨ信号をスクランブリングする。すなわち、スクランブリング部１０５は、情報ビット数が最も小さいフォーマットで送信されるＰＤＣＣＨ信号以外のＰＤＣＣＨ信号に対してはスクランブリングしない。
【０１２４】
割当部１０７は、実施の形態２と同様にして、端末に設定された複数の下り単位バンドすべてに対して共通のサーチスペースを設定する。そして、割当部１０７は、変調部１０６から入力されるＰＤＣＣＨ信号を、複数の下り単位バンドのうちいずれかの下り単位バンドのサーチスペース内のＣＣＥに割り当てる。
【０１２５】
一方、端末２００の設定情報受信部２０６（図４）は、設定情報に含まれるＰＤＣＣＨ信号のフォーマットを示す情報を読み取り、読み取ったＰＤＣＣＨ信号のフォーマットをＰＤＣＣＨ受信部２０８に出力する。
【０１２６】
ＰＤＣＣＨ受信部２０８は、割当部１０７と同様にして、自端末に設定された複数の下り単位バンドに対して共通のサーチスペースを設定する。そして、ＰＤＣＣＨ受信部２０８は、各下り単位バンドのサーチスペース内でＰＤＣＣＨ信号のブラインド復号を行う。ただし、設定情報受信部２０６から入力されるＰＤＣＣＨ信号のフォーマットのうち、情報ビット数が最も少ないフォーマットで送信されたＰＤＣＣＨ信号に対するブラインド復号の際、ＰＤＣＣＨ受信部２０８は、ＰＣＦＩＣＨ受信部２０７が抽出したＣＦＩ情報（つまり、下り回線データの割当に使用される下り単位バンドのＣＦＩ情報）に対応するスクランブリング系列で、ＰＤＣＣＨ信号をデスクランブリングする。一方、ＰＤＣＣＨ受信部２０８は、情報ビット数が最も少ないフォーマットのＰＤＣＣＨ信号以外のＰＤＣＣＨ信号に対してデスクランブリングしない。
【０１２７】
次に、基地局１００および端末２００の動作の詳細について説明する。
【０１２８】
以下の説明では、実施の形態２と同様、基地局１００の割当部１０７（図３）および端末２００のＰＤＣＣＨ受信部２０８（図４）は、図６に示すように、端末２００に設定された下り単位バンド１および下り単位バンド２のＰＤＣＣＨ領域において、単位バンドあたり４ＣＣＥを各単位バンドに共通のサーチスペースとして設定する。また、ＰＤＣＣＨのＣＣＥ連結数は１、２、４のいずれかの値となる。つまり、図６に示すように、１つの下り単位バンドのサーチスペース内において、各ＣＣＥ連結数（１、２、４）のＰＤＣＣＨ割当候補は合計７候補となる。
【０１２９】
また、基地局１００の設定部１０１（図３）は、各端末宛てのＰＤＣＣＨ信号のフォーマットとして、情報ビット数が少ないFormat 1A、および、情報ビット数が多いFormat 2の２種類のフォーマットを設定する。よって、制御部１０２は、各端末から報告される受信品質情報に基づいて、各端末宛てのＰＤＣＣＨ信号のフォーマットとして、Format 1AおよびFormat 2のうちいずれかを設定する。
【０１３０】
そして、基地局１００のスクランブリング部１０５は、フォーマットがFormat 1AであるＰＤＣＣＨ信号（すなわち、情報ビット数が最も少ないフォーマットで送信されたＰＤＣＣＨ信号）が制御部１０２から入力される場合には、制御部１０２から入力されるＣＦＩ情報に対応するスクランブリング系列で、ＰＤＣＣＨ信号をスクランブリングする。一方、スクランブリング部１０５は、制御部１０２からフォーマットがFormat 2であるＰＤＣＣＨ信号が制御部１０２から入力される場合には、ＰＤＣＣＨ信号に対してスクランブリングしない。
【０１３１】
一方、端末２００のＰＤＣＣＨ受信部２０８は、自端末に設定された複数の下り単位バンドにそれぞれ設定されたサーチスペース内の各ＰＤＣＣＨ割当候補についてブラインド復号を行う。具体的には、ＰＤＣＣＨ受信部２０８は、設定情報受信部２０６から入力されるＰＤＣＣＨ信号の各フォーマットに対するＰＤＣＣＨ信号の復号の試行および自端末の端末ＩＤによるデマスキングをした後に、ＰＤＣＣＨ信号のＣＲＣで誤り検出を行う。
【０１３２】
ただし、フォーマットがFormat 1Aである場合のＰＤＣＣＨ割当候補に対するブラインド復号の際には、ＰＤＣＣＨ受信部２０８は、さらに、実施の形態１と同様にして、復調後のＰＤＣＣＨ信号を、そのＰＤＣＣＨ信号が配置された下り単位バンドと異なる下り単位バンドのＣＦＩ情報に対応するスクランブリング系列でデスクランブリングする。
【０１３３】
つまり、フォーマットがFormat 1Aである場合のＰＤＣＣＨ割当候補に対するブラインド復号の際には、ＰＤＣＣＨ受信部２０８は、デスクランブリングを行わない場合のブラインド復号、および、デスクランブリングを行う場合のブラインド復号の２種類のブラインド復号を、各下り単位バンドに対してそれぞれ行う。ここで、デスクランブリングを行わない場合のブラインド復号とは、同一の単位バンドで送信される下り回線データのリソース割当情報が割り当てられたＰＤＣＣＨ信号に対するブラインド復号である。一方、デスクランブリングを行う場合のブラインド復号とは、異なる単位バンドで送信される下り回線データのリソース割当情報が割り当てられたＰＤＣＣＨ信号に対するブラインド復号である。
【０１３４】
一方、フォーマットがFormat 2である場合のＰＤＣＣＨ割当候補に対するブラインド復号の際には、ＰＤＣＣＨ受信部２０８は、デスクランブリングを行わない場合のブラインド復号のみを、各下り単位バンドに対してそれぞれ行う。
【０１３５】
ここで、例えば、基地局１００が、ＰＤＣＣＨ信号をいずれの下り単位バンドにも割り当ることが可能な場合に、端末２００が、すべてのフォーマット（ここでは、Format 1AおよびFormat 2）に対して、ＣＦＩ情報に対応するスクランブリング系列でデスクランブリングを行うと、２つの下り単位バンドで合計５６（＝（７（ＰＤＣＣＨ割当候補）×２（ブラインド復号の種類）×２（フォーマットの種類））×２（下り単位バンド数））回の復号試行回数が必要となる。これに対し、本実施の形態では、２つの下り単位バンドで合計４２（＝（（７（Format 2のＰＤＣＣＨ割当候補）×１（ブラインド復号の種類））＋（７（Format 1AのＰＤＣＣＨ割当候補）×２（ブラインド復号の種類）））×２（下り単位バンド数））回の復号試行回数に低減することができる。
【０１３６】
このように、基地局１００では、ＣＦＩ情報の受信誤りが発生しやすいセル境界付近に位置する端末に用いる可能性が低い（すなわち、ＣＦＩ情報の受信誤りが発生しにくいセル中心付近に位置する端末に用いる可能性が高い）、Format 2を用いるＰＤＣＣＨ信号に対して、ＣＦＩ情報を用いたスクランブリングを行わなくても、ＣＦＩ情報の受信誤りは発生しにくい。このため、ＣＦＩ情報の受信誤りによるＨＡＲＱ再送が発生する可能性は低い。
【０１３７】
一方、基地局１００は、ＣＦＩ情報の受信誤りが発生しやすいセル境界付近に位置する端末に用いる可能性が高い、Format 1Aを用いるＰＤＣＣＨ信号に対して、ＣＦＩ情報を用いたスクランブリングを行うことで、実施の形態１と同様、ＣＦＩ情報の受信誤りによる無駄なＨＡＲＱ再送を防ぐことができる。
【０１３８】
このようにして、本実施の形態によれば、端末が複数の単位バンドを使用し、かつ、複数のフォーマットのいずれかを用いてＰＤＣＣＨ信号を送信する場合でも、実施の形態１と同様にして、無駄なＨＡＲＱ再送の発生を防ぐことができる。さらに、本実施の形態によれば、基地局は、ＣＦＩ情報の受信誤りが発生しやすいセル境界付近に位置する端末に対するＰＤＣＣＨ信号（フォーマットの情報ビット数が最も小さいＰＤＣＣＨ信号）に対してのみ、ＣＦＩ情報を用いてスクランブリングするため、端末でのブラインド復号の回数を低減することができる。
【０１３９】
なお、本実施の形態では、ＰＤＣＣＨ信号のフォーマットとして、Format 1AおよびFormat 2を用いる場合について説明した。一方で、ＬＴＥでは、Format 1A以外に端末が受信するフォーマットは端末ごとにFormat 1、Format 1B、Format 1D、Format 2またはFormat 2Aが指定される。本発明では、例えば、Format 2の代わりにFormat 1、Format 1B、Format 1DまたはFormat 2Aのいずれかを用いてもよい。
【０１４０】
また、本実施の形態では、ＰＤＣＣＨ信号のフォーマットとして各端末に対して２つが設定され、最も少ないビット数のフォーマット（つまり、２つのうち情報ビット数の少ない方のフォーマット）のＰＤＣＣＨ信号に対してのみＣＦＩ情報に対応したスクランブリングが行われる場合について説明した。しかし、本発明は、各端末に対して３つ以上のフォーマットが設定される場合にも適用できる。この場合、最も少ない情報ビット数のフォーマットのＰＤＣＣＨ信号のみをＣＦＩ情報に対応したスクランブリングの対象としてもよく、情報ビット数の少ない２つのフォーマットのＰＤＣＣＨ信号をスクランブリングの対象としてもよい。
【０１４１】
また、ＰＤＣＣＨフォーマットは、ＤＣＩ（Downlink Control Information）フォーマットと呼ばれることもある。
【０１４２】
（実施の形態４）
本実施の形態では、基地局は、データの割当に使用される下り単位バンドのＣＦＩ情報に対応するサーチスペース内に、そのデータのリソース割当情報が割り当てられるＰＤＣＣＨ信号を割り当てる。
【０１４３】
以下、具体的に説明する。図７は本実施の形態に係る基地局１００ａの構成を示すブロック図である。なお、図７に示す基地局１００ａは、実施の形態１に係る基地局１００の構成からスクランブリング部１０５を除いた構成となる。また、図７に示す基地局１００ａでは、割当部１０７の動作が図３に示す基地局１００の割当部１０７と異なる。
【０１４４】
すなわち、基地局１００ａの割当部１０７は、各端末に設定された複数の下り単位バンド毎のサーチスペースを算出する際、変調部１０６から入力される各端末宛てのＰＤＣＣＨ信号に含まれるリソース割当情報に示されるリソース割当対象の単位バンドのＣＦＩ情報に対応するサーチスペースを算出する。
【０１４５】
例えば、割当部１０７は、ＣＦＩ情報に対応するオフセットを、ハッシュ関数を用いて算出されるＣＣＥ番号に加算して、加算結果の値をサーチスペースの開始位置（ＣＣＥ番号）としてサーチスペースを設定してもよい。具体的には、図８に示すように、割当部１０７は、まず、ハッシュ関数を用いてサーチスペースの開始位置（ＣＣＥ番号）を算出する。そして、割当部１０７は、ＣＦＩ情報に対応するオフセットを、Ｌ＊（ＣＦＩ−１）とする。ここで、Ｌはサーチスペースを構成するＣＣＥ数（図８ではＬ＝４）であり、ＣＦＩはＣＦＩ情報（図８では、ＣＦＩ＝１〜３）である。図８に示すように、互いに異なるＣＦＩ情報（ＣＦＩ＝１〜３）間では、各ＣＦＩ情報に対応するサーチスペースが互いに重なることはない。
【０１４６】
そして、割当部１０７は、ＰＤＣＣＨ信号に含まれるリソース割当情報に示されるリソース割当対象の単位バンドのＣＦＩ情報に対応するサーチスペース内に、そのＰＤＣＣＨ信号を割り当てる。
【０１４７】
一方、端末２００（図４）は、実施の形態１と同様の構成であるが、ＰＤＣＣＨ受信部２０８の動作が異なる。すなわち、ＰＤＣＣＨ受信部２０８は、割当部１０７と同様（例えば、図８）にして、自端末に設定された複数の下り単位バンド毎のサーチスペースを算出する際、ＰＣＦＩＣＨ受信部２０７から入力される、各下り単位バンドのＣＦＩ情報に応じたサーチスペースを算出する。そして、ＰＤＣＣＨ受信部２０８は、ＰＣＦＩＣＨ受信部２０７から入力されるＣＦＩ情報に対応するサーチスペース内で、ＰＤＣＣＨ信号のブラインド復号を行う。
【０１４８】
これにより、端末２００は、下り回線データが送信された下り単位バンドのＣＦＩ情報を正常に判定した場合には、基地局１００ａが設定したサーチスペース、つまり、その下り回線データのリソース割当情報が割り当てられたＰＤＣＣＨ信号が割り当てられたサーチスペース内でブラインド復号を行う。このため、端末２００は、ＰＤＣＣＨ信号を検出することができる。
【０１４９】
一方、端末２００は、下り回線データが送信された下り単位バンドのＣＦＩ情報を誤って判定した場合には、基地局１００ａが設定したサーチスペース、つまり、その下り回線データのリソース割当情報が割り当てられたＰＤＣＣＨ信号が割り当てられたサーチスペースと異なるサーチスペース内でブラインド復号を行う。この場合、端末２００は、ブラインド復号を行ってもＰＤＣＣＨ信号を検出することができない。つまり、端末２００では、実施の形態１と同様、下り回線データが送信される下り単位バンドのＣＦＩ情報を誤って判定した場合には、その下り回線データのリソース割当情報が割り当てられたＰＤＣＣＨ信号の受信も誤る。
【０１５０】
このため、端末２００は、実施の形態１と同様にして、ＡＣＫ／ＮＡＣＫ信号を送信しない（すなわち、ＤＴＸ）ため、基地局１００ａは、同一のデータを再送データとしてではなく、初回送信データとして送信する。よって、端末２００では、ＣＦＩ情報に誤りがある場合には、誤って下り回線データを受信しないので、ＨＡＲＱバッファの誤った位置に下り回線データを格納することはない。このため、実施の形態１と同様、ＨＡＲＱバッファの誤った位置に下り回線データを格納することによる無駄なＨＡＲＱ再送は発生せず、上位レイヤ（例えば、ＲＬＣレイヤ）の再送が頻発することが無くなる。これにより、データの伝送遅延を低減することができ、かつ、ＨＡＲＱ再送のためのリソース消費を抑えることができるため、スループット改善および基地局１００ａの処理量の低減が可能となる。
【０１５１】
このようにして、本実施の形態によれば、基地局は、下り回線データが送信される下り単位バンドのＣＦＩ情報に対応するサーチスペース内に、その下り回線データのリソース割当情報が割り当てられたＰＤＣＣＨ信号を割り当てる。これにより、端末は、ＣＦＩ情報を正常に受信した場合にのみ、ＰＤＣＣＨ信号を検出できる。すなわち、端末は、ＣＦＩ情報を誤って判定した場合には実際にＰＤＣＣＨ信号が割り当てられたサーチスペースと異なるサーチスペースでブラインド復号を行うので、ＣＦＩ誤りに起因する無駄なＨＡＲＱ再送を防ぐことができる。よって、本実施の形態によれば、端末が複数の単位バンドを使用する際に、データが送信される単位バンドと、そのデータのリソース割当情報が割り当てられるＰＤＣＣＨが送信される単位バンドとが異なる場合でも、実施の形態１と同様、無駄なＨＡＲＱ再送の発生を防ぐことができる。
【０１５２】
なお、本発明において、基地局は、ハッシュ関数の入力値としてＣＦＩ情報を用いて、サーチスペースの開始位置（ＣＣＥ番号）を算出することにより、各ＣＦＩ情報に対応するサーチスペースをそれぞれ設定してもよい。
【０１５３】
（実施の形態５）
本実施の形態では、基地局は、データの割当に使用される下り単位バンドのＣＦＩ情報に対応するスクランブリング系列を用いて、ＰＤＣＣＨ毎に並列にスクランブリングする。
【０１５４】
以下、具体的に説明する。図９は本実施の形態に係る基地局３００の構成を示すブロック図である。図９に示す基地局３００は、実施の形態１の基地局１００（図３）の構成のうち、符号化部１０４、スクランブリング部１０５および変調部１０６の代わりにＰＤＣＣＨ処理部３０１を具備する構成となる。
【０１５５】
図９に示す基地局３００のＰＤＣＣＨ処理部３０１には、ＰＤＣＣＨ生成部１０３から、各単位バンドのＰＤＣＣＨ信号が並列に入力される。また、ＰＤＣＣＨ処理部３０１には、制御部１０２から、下り単位バンド毎のＣＦＩ情報（ＣＦＩ値）が入力される。そして、ＰＤＣＣＨ処理部３０１は、各下り単位バンドのＣＦＩ情報に基づいて、ＰＤＣＣＨ信号毎に、後述するＰＤＣＣＨ処理を並列に行う。
【０１５６】
以下、ＰＤＣＣＨ処理部３０１におけるＰＤＣＣＨ処理について詳細に説明する。図１０は、ＰＤＣＣＨ処理部３０１の内部構成を示すブロック図である。図１０に示すように、ＰＤＣＣＨ処理部３０１には、基地局３００が同時に送信可能なＰＤＣＣＨ信号の数に対応する、畳込符号化部３１１、サブブロックインターリーブ部３１２、サーキュラーバッファ格納部３１３、サーキュラーバッファ読出部３１４、スクランブリング部３１５の処理系統が設けられている。
【０１５７】
具体的には、図１０に示すＰＤＣＣＨ処理部３０１において、畳込符号化部３１１は、ＰＤＣＣＨ生成部１０３から入力されるＰＤＣＣＨ信号（つまり、ＣＲＣビット付加後の制御情報）に対して、畳み込み符号化（例えば、符号化率Ｒ＝１／３、拘束長Ｋ＝７）を行う。そして、畳込符号化部３１１は、畳み込み符号化後のＰＤＣＣＨ信号をサブブロックインターリーブ部３１２に出力する。
【０１５８】
サブブロックインターリーブ部３１２は、畳込符号化部３１１から入力されるＰＤＣＣＨ信号の各ビットに対して、予め決められたパタンのブロックインターリーブを施す。例えば、以下では、一例として、畳込符号化部３１１における符号化率がＲ＝１／３の場合について説明する。つまり、畳込符号化部３１１は３つのビット列を出力する。この場合、サブブロックインターリーブ部３１２は、畳込符号化部３１１からの３個の出力ビット列のそれぞれに対して、予め決められたパタンのブロックインターリーブを施す。
【０１５９】
サーキュラーバッファ格納部３１３は、サブブロックインターリーブ部３１２から入力される、インターリーブ後の３つのビット列を、１つのサーキュラーバッファ（circular buffer）（巡回的に読み出し可能なバッファ）に格納する。
【０１６０】
サーキュラーバッファ読出部３１４は、ＰＤＣＣＨ信号の符号化率に応じた数のビットを、サーキュラーバッファの先頭から順に読み出す。ここで、ＰＤＣＣＨ信号の符号化率が１／３未満（つまり、畳込符号化部３１１での符号化率Ｒ未満）であれば、サーキュラーバッファ読出部３１４は、サーキュラーバッファ内のビットを最後まで読み出した後、サーキュラーバッファの先頭に戻って（巡回して）、一度読み出したビットと同一のビットを読み出す。このようにして、サーキュラーバッファ読出部３１４は、サーキュラーバッファから所望の符号化率を有するビット列を読み出すことでレートマッチングを行う。
【０１６１】
スクランブリング部３１５は、制御部１０２から入力される各下り単位バンドのＣＦＩ情報のうち、サーキュラーバッファ読出部３１４から読み出したＰＤＣＣＨ信号に含まれる下りリソース割当情報に示されるリソース割当対象の下り単位バンドのＣＦＩ情報に対応するスクランブリング系列で、当該ＰＤＣＣＨ信号をスクランブリングする。なお、スクランブリング部３１５では、実施の形態１と同様に、例えば、｛０，１｝で表現されるスクランブリング系列を各ビットに加算した後にモジュロ演算（ｍｏｄ  ２）を行う処理によりスクランブリング処理が行われる。または、スクランブリング部３１５は、データの各ビットを｛１，−１｝で表現し、｛１，−１｝で表現されるスクランブリング系列をビット毎に乗算してもよい。
【０１６２】
以上、畳込符号化部３１１、サブブロックインターリーブ部３１２、サーキュラーバッファ格納部３１３、サーキュラーバッファ読出部３１４およびスクランブリング部３１５の各処理は、ＰＤＣＣＨ信号（つまり、各端末の各単位バンドのリソース割当情報）毎に行われる。
【０１６３】
Ｐ／Ｓ変換部３１６は、ＰＤＣＣＨ信号毎に設けられた処理系統の各スクランブリング部３１５から入力されるＰＤＣＣＨ信号（ビット列）を、パラレルシリアル変換してスクランブリング部３１８に出力する。ここで、パラレルシリアル変換後の出力は、各処理系統のＰＤＣＣＨ信号が順番に並べられたビット列となる。
【０１６４】
系列生成部３１７は、入力されるセルＩＤに対応するスクランブリング系列を生成する。具体的には、系列生成部３１７は、セルＩＤに依存した初期値を擬似乱数（例えば、ＰＮ系列）発生器に入力することにより、セルＩＤに対応するスクランブリング系列を生成する。そして、系列生成部３１７は、生成したスクランブリング系列をスクランブリング部３１８に出力する。
【０１６５】
スクランブリング部３１８は、系列生成部３１７から入力されるスクランブリング系列で、Ｐ／Ｓ変換部３１６から入力されるＰＤＣＣＨ信号をスクランブリング（つまり、セルＩＤに対応するスクランブリング系列によるCell specificスクランブリング）する。
【０１６６】
ＱＰＳＫマッピング部３１９は、スクランブリング部３１８から入力されるＰＤＣＣＨ信号（ビット列）を、ＱＰＳＫの各信号点にマッピングし、ＱＰＳＫ信号（ＰＤＣＣＨ信号）を生成する。そして、ＱＰＳＫマッピング部３１９は、生成したＱＰＳＫ信号（ＰＤＣＣＨ信号）を割当部１０７に出力する。
【０１６７】
このようにして、本実施の形態によれば、基地局は、ＰＤＣＣＨ信号に含まれる下りリソース割当情報に示されるリソース割当対象の下り単位バンドのＣＦＩ情報に対応するスクランブリング系列を用いたスクランブリング処理（つまり、ＣＦＩ情報に依存したスクランブリング処理）を、ＰＤＣＣＨ信号（各端末の各単位バンドのリソース割当情報）毎に行う。つまり、基地局では、実施の形態１で説明した、ＣＦＩ情報に依存したスクランブリング処理をＰＤＣＣＨ信号毎に並列に処理する。よって、本実施の形態によれば、ＣＦＩ情報に依存したスクランブリング処理を行うことで、実施の形態１と同様、無駄なＨＡＲＱ再送の発生を防ぐことができ、かつ、ＣＦＩ情報に依存したスクランブリング処理をＰＤＣＣＨ信号毎に並列に処理することで、基地局での処理（上記ＰＤＣＣＨ処理）の高速化が可能となる。
【０１６８】
（実施の形態６）
本実施の形態では、基地局は、ＣＦＩ情報およびセルＩＤ（基地局がカバーするセルのセルＩＤ）に対応するスクランブリング系列で、ＰＤＣＣＨ信号をスクランブリングする。
【０１６９】
以下、具体的に説明する。なお、本実施の形態に係る基地局３００（図９）は、実施の形態５と同様の構成であるがＰＤＣＣＨ処理部３０１の動作が異なる。
【０１７０】
図１１は、本実施の形態に係る基地局３００のＰＤＣＣＨ処理部３０１の内部構成を示す。なお、図１１において図１０（実施の形態５）と同一の構成には同一符号を付し説明を省略する。図１１に示すＰＤＣＣＨ処理部３０１は、実施の形態５に係るＰＤＣＣＨ処理部３０１の構成からスクランブリング部３１５を除いた構成となる。また、図１１に示すＰＤＣＣＨ処理部３０１では、系列生成部３２１およびスクランブリング部３２２の動作が図１０に示すＰＤＣＣＨ処理部３０１の系列生成部３１７およびスクランブリング部３１８の動作と異なる。
【０１７１】
また、ここでは、ＣＦＩ情報はＣＦＩ＝１，２，３の３つの値をとる場合について説明する。
【０１７２】
図１１に示すＰＤＣＣＨ処理部３０１において、系列生成部３２１には、セルＩＤに加え、制御部１０２からＣＦＩ情報（各下り単位バンドのＣＦＩ情報）が入力される。そして、系列生成部３２１は、入力されるセルＩＤおよび各ＣＦＩ情報の双方に対応するスクランブリング系列を生成する。具体的には、系列生成部３２１は、セルＩＤおよび各ＣＦＩ情報に依存した初期値を擬似乱数（例えば、ＰＮ系列）発生器に入力することにより、セルＩＤおよび各ＣＦＩ情報に対応するスクランブリング系列を生成する。ここでは、ＣＦＩ情報はＣＦＩ＝１，２，３の３つの値をとり得るため、セルＩＤと各ＣＦＩ情報それぞれとの組の組み合わせ（３組）にそれぞれ対応する３つのスクランブリング系列が生成される。つまり、系列生成部３２１は、ＰＤＣＣＨ領域の全ＣＣＥに渡って基地局３００がカバーするセル内の全端末に共通に行われるスクランブリング（Cell specificスクランブリング）に用いるスクランブリング系列として、各ＣＦＩ情報に対応するスクランブリング系列を３つ生成する。
【０１７３】
スクランブリング部３２２は、Ｐ／Ｓ変換部３１６から入力されるＰＤＣＣＨ信号（ビット列）それぞれに対して、系列生成部３２１から入力されるスクランブリング系列（セルＩＤおよびＣＦＩ情報の双方に対応するスクランブリング系列）のうち、そのＰＤＣＣＨ信号に含まれる下りリソース割当情報に示されるリソース割当対象である下り単位バンドのＣＦＩ情報に対応するスクランブリング系列を用いてスクランブリング処理を行う。
【０１７４】
ここで、実施の形態５（図１０）と本実施の形態（図１１）とを比較する。実施の形態５（図１０）では、基地局は、ＣＦＩ情報のみに対応するスクランブリング系列によるスクランブリング処理（ＣＦＩ情報に依存したスクランブリング処理）（図１０に示すスクランブリング部３１５）、および、セルＩＤのみに対応するスクランブリング系列によるスクランブリング処理（セルＩＤに依存したスクランブリング処理）（図１０に示すスクランブリング部３１８）の２つのスクランブリング処理を行う。これに対し、本実施の形態（図１１）では、基地局は、セルＩＤおよびＣＦＩ情報の双方に対応するスクランブリング系列によるスクランブリング処理（図１１に示すスクランブリング部３２２）の１つのスクランブリング処理のみを行う。
【０１７５】
つまり、実施の形態５では、ＣＦＩ情報に依存したスクランブリング処理とセルＩＤに依存したスクランブリング処理とが個別に行われるのに対し、本実施の形態では、ＣＦＩ情報およびセルＩＤの双方に依存したスクランブリング処理のみが行われる。
【０１７６】
これにより、本実施の形態では、スクランブリング部（図１０ではスクランブリング部３１５）を新たに設けることなく、セルＩＤに依存したスクランブリング処理（つまり、Cell specificスクランブリング処理）に用いる既存回路（ＬＴＥで用いられる回路）である擬似乱数発生器（図１１では系列生成部３２１）を、ＣＦＩ情報に対応したスクランブリング系列を生成する際にも再利用することができる。よって、本実施の形態によれば、ＣＦＩ情報に依存したスクランブリング処理を行うことで、実施の形態１と同様、無駄なＨＡＲＱ再送の発生を防ぐことができ、かつ、ＬＴＥの回路構成を最大限再利用できるため、実施の形態５に対してより簡易に基地局を構成することができる。
【０１７７】
なお、ＰＤＣＣＨ信号が送信される下り単位バンドと同一の下り単位バンドを、そのＰＤＣＣＨ信号を用いて通知されるリソース割当対象とするか、リソース割当情報に下り単位バンドに関する情報を付加して、ＰＤＣＣＨ信号が送信される下り単位バンド以外の下り単位バンドを、そのＰＤＣＣＨ信号を用いて通知されるリソース割当対象とするかは、基地局でsemi-staticに制御されることが考えられる。ここで、ＰＤＣＣＨ信号が送信される下り単位バンドと同一の下り単位バンドを、そのＰＤＣＣＨ信号を用いて通知されるリソース割当対象とする場合には、ＣＦＩ情報に依存したスクランブリング処理は不要であり、セルＩＤに依存したスクランブリング処理のみでよい。しかし、本実施の形態では、基地局がＣＦＩ情報に依存したスクランブリング処理を行うかどうかは、系列生成部（図１１に示す系列生成部３２１）でＣＦＩ情報に対応するスクランブリング系列を生成するかどうかの違いだけであるので、いずれの場合でも同一の回路構成で実現できる。
【０１７８】
（実施の形態７）
本実施の形態では、基地局は、ＰＤＣＣＨ信号に対して、そのＰＤＣＣＨ信号に含まれる下りリソース割当情報に示されるリソース割当対象の下り単位バンドのＣＦＩ情報に応じたパタンのインターリーブを施す。また、端末は、各単位バンドのデータのリソース割当を行うＰＤＣＣＨ信号それぞれに対してブラインド復号する際、各下り単位バンドのＣＦＩ情報に応じたパタンを用いてデインターリーブを行う。
【０１７９】
以下、具体的に説明する。なお、本実施の形態に係る基地局３００（図９）は、実施の形態５と同様の構成であるが、ＰＤＣＣＨ処理部３０１の動作が異なる。また、本実施の形態に係る端末２００（図４）は、実施の形態１と同様の構成であるが、ＰＤＣＣＨ受信部２０８の動作が異なる。
【０１８０】
図１２は、本実施の形態に係る基地局３００のＰＤＣＣＨ処理部３０１の内部構成を示す。なお、図１２において図１０（実施の形態５）と同一の構成には同一符号を付し説明を省略する。図１２に示すＰＤＣＣＨ処理部３０１は、実施の形態５に係るＰＤＣＣＨ処理部３０１の構成からスクランブリング部３１５を除いた構成となる。また、図１２に示すＰＤＣＣＨ処理部３０１では、サブブロックインターリーブ部３３１の動作が図１０に示すサブブロックインターリーブ部３１２の動作と異なる。
【０１８１】
また、以下の説明では、実施の形態５と同様、一例として、畳込符号化部３１１における符号化率がＲ＝１／３の場合について説明する。つまり、畳込符号化部３１１は３つのビット列をサブブロックインターリーブ部３３１に出力する。
【０１８２】
図１２に示すＰＤＣＣＨ処理部３０１において、サブブロックインターリーブ部３３１は、畳込符号化部３１１から入力される３つの出力ビット列（ＰＤＣＣＨ信号）を、その出力ビット列（ＰＤＣＣＨ信号）に含まれる下りリソース割当情報に示されるリソース割当対象の下り単位バンドと異なる下り単位バンドを用いて送信する場合、当該３つの出力ビット列（ＰＤＣＣＨ信号）それぞれに対して、下り回線データの割当に使用される下り単位バンドのＣＦＩ情報に対応するインターリーブパタンでインターリーブを施す。例えば、サブブロックインターリーブ部３３１には、ＣＦＩ＝１，２，３それぞれに対応するインターリーブパタンが予め定義されている。例えば、サブブロックインターリーブ部３３１では、ブロックインターリーブを用いる場合には、入力されるビットで構成されるブロックの列を並べ替えるPermutationパタンについて、各ＣＦＩ情報に依存したPermutationパタンがそれぞれ定義されている。よって、サブブロックインターリーブ部３３１は、出力ビット列（つまり、ＰＤＣＣＨ信号）に含まれる下りリソース割当情報に示されるリソース割当対象の下り単位バンドのＣＦＩ情報に応じて、使用するインターリーブパタンを選択して、出力ビットに対してインターリーブを施す。
【０１８３】
一方、端末２００（図４）のＰＤＣＣＨ受信部２０８は、各単位バンドのデータのリソース割当を行うＰＤＣＣＨそれぞれに対してブラインド復号する際、各下り単位バンドのＣＦＩ情報（ＰＣＦＩＣＨ信号から抽出したＣＦＩ情報）に対応するスクランブリング系列でＰＤＣＣＨ信号をデスクランブリングする代わりに、各下り単位バンドのＣＦＩ情報に対応するインターリーブパタンでＰＤＣＣＨ信号をデインターリーブする。具体的には、ＰＤＣＣＨ受信部２０８は、下り回線データの割当に使用される下り単位バンドと異なる下り単位バンドで送信されたＰＤＣＣＨをブラインド復号する際、復調後のＰＤＣＣＨ信号を、下り回線データの割当に使用される下り単位バンドのＣＦＩ情報に対応するインターリーブパタンを用いてデインターリーブする。
【０１８４】
これにより、端末２００は、下り回線データが送信される下り単位バンドのＣＦＩ情報を正常に判定した場合のみ、基地局３００のＰＤＣＣＨ処理部３０１（サブブロックインターリーブ部３３１）で用いたインターリーブパタンと同一のインターリーブパタンを用いて、その下り回線データのリソース割当情報が割り当てられたＰＤＣＣＨ信号をデインターリーブすることで、ＰＤＣＣＨ信号を得ることができる。
【０１８５】
一方、端末２００は、下り回線データが送信される下り単位バンドのＣＦＩ情報を誤って受信した場合には、デインターリーブに用いるインターリーブパタンを正しく特定できない。このため、端末２００は、下り回線データが送信される下り単位バンドのＣＦＩ情報を誤って判定した場合には、ＰＤＣＣＨ信号を正常に復号することができない。よって、端末２００では、下り回線データが送信される下り単位バンドのＣＦＩ情報に誤りがある場合には、実施の形態１と同様、その下り単位バンドで下り回線データを受信しないので、ＨＡＲＱバッファの誤った位置に下り回線データを格納することはない。このため、実施の形態１と同様、図２に示すように、ＨＡＲＱバッファの誤った位置に下り回線データを格納することによる無駄なＨＡＲＱ再送は発生せず、さらに、上位レイヤ（例えば、ＲＬＣレイヤ）の再送が頻発することも無くなる。これにより、データの伝送遅延を低減することができ、かつ、ＨＡＲＱ再送のためのリソース消費を抑えることができるため、スループット改善および基地局３００の処理量の低減が可能となる。
【０１８６】
このように、本実施の形態によれば、基地局がＣＦＩ情報に対応するインターリーブパタンを用いたインターリーブ処理（ＣＦＩ情報に依存したインターリーブ処理）を行う場合でも、実施の形態１と同様、端末が複数の単位バンドを使用する際に、データが送信される単位バンドと、そのデータのリソース割当情報が割り当てられるＰＤＣＣＨが送信される単位バンドとが互いに異なる場合でも、無駄なＨＡＲＱ再送の発生を防ぐことができる。さらに、本実施の形態によれば、既存のサブブロックインターリーブ回路において、既存のインターリーブパタンを、各ＣＦＩ情報に対応したパタンに変更するだけでよいため、簡易な処理で本実施の形態に係る処理を実現することができる。
【０１８７】
なお、本実施の形態において、ＣＦＩ情報に依存したインターリーブ処理の別の実現方法として、基地局は、サブブロックインターリーブ後の３つのビット列（符号化率Ｒ＝１／３の場合）をサーキュラーバッファに格納する際に、ＣＦＩ情報に応じたビット列間の並べ替えを行ってもよい。具体的には、サブブロックインターリーブ後の３つのビット列をそれぞれｄ１（ｉ），ｄ２（ｉ），ｄ３（ｉ）  （ｉ＝１，２，…，Ｎ）とすると、基地局は、ＣＦＩ情報に応じた格納順で各ビット列ｄ１（ｉ），ｄ２（ｉ），ｄ３（ｉ）をサーキュラーバッファに格納する。例えば、基地局は、ＣＦＩ＝１の場合にはｄ１（ｉ），ｄ２（ｉ），ｄ３（ｉ）の順で格納し、ＣＦＩ＝２の場合にはｄ２（ｉ），ｄ３（ｉ），ｄ１（ｉ）の順で格納し、ＣＦＩ＝３の場合にはｄ３（ｉ），ｄ１（ｉ），ｄ２（ｉ）の順で格納する。これにより、基地局では、各ビット列（ＰＤＣＣＨ信号）のサーキュラーバッファへの格納順を変更するだけでよいので、本実施の形態と同様の処理をより簡易に行うことができる。また、ＬＴＥで用いられている既存のサブブロックインターリーブ回路を再利用できるため、本実施の形態に係る基地局および端末をより簡易に構成することができる。
【０１８８】
（実施の形態８）
本実施の形態では、基地局が、ＰＤＣＣＨ信号に対して、そのＰＤＣＣＨ信号に含まれる下りリソース割当情報に示されるリソース割当対象の下り単位バンドのＣＦＩ情報に対応したパタン（インターリーブパタン）を用いたインターリーブを施す点は実施の形態７と同様である。ただし、実施の形態７では、基地局が、ＰＤＣＣＨ信号をサーキュラーバッファに格納する前にインターリーブを施したのに対し、本実施の形態では、基地局が、ＰＤＣＣＨ信号をサーキュラーバッファから読み出した後にインターリーブを施す。
【０１８９】
以下、具体的に説明する。なお、本実施の形態に係る基地局３００（図９）は、実施の形態５と同様の構成であるが、ＰＤＣＣＨ処理部３０１の動作が異なる。
【０１９０】
図１３は、本実施の形態に係る基地局３００のＰＤＣＣＨ処理部３０１の内部構成を示す。なお、図１３において図１０（実施の形態５）と同一の構成には同一符号を付し説明を省略する。図１３に示すＰＤＣＣＨ処理部３０１の構成は、実施の形態５に係るＰＤＣＣＨ処理部３０１においてスクランブリング部３１５の代わりにインターリーブ部３４１を設けた構成となる。
【０１９１】
図１３に示すＰＤＣＣＨ処理部３０１において、インターリーブ部３４１は、制御部１０２から入力される各下り単位バンドのＣＦＩ情報のうち、サーキュラーバッファ読出部３１４で読み出されたＰＤＣＣＨ信号に含まれる下りリソース割当情報に示されるリソース割当対象の下り単位バンドのＣＦＩ情報に対応するインターリーブパタンを用いて、当該ＰＤＣＣＨ信号に対してインターリーブを施す。例えば、インターリーブ部３４１には、ＣＦＩ＝１，２，３それぞれに応じたインターリーブパタンが予め定義されているとする。例えば、インターリーブ部３４１では、ブロックインターリーブを用いる場合には、入力されるビットで構成されるブロックの列を並べ替えるPermutationパタンについて、各ＣＦＩ情報に依存したPermutationパタンがそれぞれ定義される。この場合、インターリーブ部３４１は、ＰＤＣＣＨ信号に含まれる下りリソース割当情報に示されるリソース割当対象の下り単位バンドのＣＦＩ情報に応じて、使用するインターリーブパタンを選択して、そのＰＤＣＣＨ信号に対してインターリーブを施す。
【０１９２】
ここで、本実施の形態では、実施の形態７（図１２）と比較すると、インターリーブ処理を行う回路（図１３に示すインターリーブ部３４１）を新たに設ける必要がある。しかし、本実施の形態では、図１３に示す畳込符号化部３１１〜サーキュラーバッファ読出部３１４までの回路（つまり、図１３に示す各ＰＤＣＣＨ信号に対応する処理系統のうち、インターリーブ部３４１以外の回路）は、ＬＴＥで用いられている既存の回路を再利用できる。よって、本実施の形態では、実施の形態７と同様、基地局がＣＦＩ情報に対応するインターリーブパタンを用いたインターリーブ処理（ＣＦＩ情報に依存したインターリーブ処理）を行う場合でも、無駄なＨＡＲＱ再送の発生を防ぐことができ、かつ、実施の形態７よりも回路設計時におけるテスト工数の削減が可能となる。
【０１９３】
なお、本実施の形態において、ＣＦＩ情報に依存したインターリーブ処理の別の実現方法として、基地局は、ＰＤＣＣＨ信号に対して、そのＰＤＣＣＨ信号に含まれる下りリソース割当情報に示される下り単位バンドのＣＦＩ情報に応じた量の巡回シフト（ＣＦＩ情報に依存した巡回シフト）を施してもよい。なお、巡回シフトを用いる場合、基地局は、ＰＤＣＣＨ信号を、順方向または逆方向のいずれの方向に巡回シフトさせてもよい。このようにして、基地局では、巡回シフトにより簡易にインターリーブ処理を実現できるため、本実施の形態に係る基地局および端末をより簡易に構成することができる。
【０１９４】
また、本実施の形態において、基地局は、ＱＰＳＫ変調（図１３に示すＱＰＳＫマッピング部３１９の処理）後のシンボル列に対して、ＣＦＩ情報に依存したインターリーブを施してもよい。または、基地局は、割当部（図９に示す割当部１０７）におけるＰＤＣＣＨ信号のＣＣＥへのマッピングの際に、そのＰＤＣＣＨに含まれる下りリソース割当情報に示される下り単位バンドのＣＦＩ情報に対応したパタンでＰＤＣＣＨ信号のマッピングを行ってもよい。
【０１９５】
（実施の形態９）
本実施の形態では、基地局は、ＰＤＣＣＨ信号（送信ビット列）を、そのＰＤＣＣＨ信号に含まれる下りリソース割当情報に示されるリソース割当対象の下り単位バンドのＣＦＩ情報に対応する読み出し開始位置から順に、サーキュラーバッファから読み出す。また、端末は、各単位バンドのデータのリソース割当を行うＰＤＣＣＨ信号それぞれに対してブラインド復号する際、各下り単位バンドのＣＦＩ情報に対応する読み出し開始位置に基づいて復号を行う。
【０１９６】
以下、具体的に説明する。なお、本実施の形態に係る基地局３００（図９）は、実施の形態５と同様の構成であるが、ＰＤＣＣＨ処理部３０１の動作が異なる。また、本実施の形態に係る端末２００（図４）は、実施の形態１と同様の構成であるが、ＰＤＣＣＨ受信部２０８の動作が異なる。
【０１９７】
図１４は、本実施の形態に係る基地局３００のＰＤＣＣＨ処理部３０１の内部構成を示す。なお、図１４において図１０（実施の形態５）と同一の構成には同一符号を付し説明を省略する。図１４に示すＰＤＣＣＨ処理部３０１は、実施の形態５に係るＰＤＣＣＨ処理部３０１の構成からスクランブリング部３１５を除いた構成となる。また、図１４に示すＰＤＣＣＨ処理部３０１では、サーキュラーバッファ読出部３５１の動作が図１０に示すサーキュラーバッファ読出部３１４の動作と異なる。
【０１９８】
基地局３００のＰＤＣＣＨ処理部３０１（図１４）において、サーキュラーバッファ読出部３５１は、ＰＤＣＣＨ信号の符号化率に応じた数のビットを、そのＰＤＣＣＨ信号に含まれる下りリソース割当情報に示されるリソース割当対象の下り単位バンドのＣＦＩ情報に対応する読み出し開始位置から順に、サーキュラーバッファから読み出す。具体的には、サーキュラーバッファ読出部３５１は、ＰＤＣＣＨ信号を、そのＰＤＣＣＨ信号に含まれる下りリソース割当情報に示されるリソース割当対象の下り単位バンドと異なる下り単位バンドを用いて送信する場合、下り回線データの割当に使用される下り単位バンドのＣＦＩ情報に対応する読み出し開始位置から順に、サーキュラーバッファから当該ＰＤＣＣＨ信号の符号化率に応じた数のビットを読み出す。
【０１９９】
例えば、サーキュラーバッファ読出部３５１は、図１５に示すように、ＣＦＩ＝１の下り単位バンドのリソース割当情報を含むＰＤＣＣＨ信号に対する読み出し開始位置を、サーキュラーバッファの先頭（１ビット目）に設定し、ＣＦＩ＝２の下り単位バンドのリソース割当情報を含むＰＤＣＣＨ信号に対する読み出し開始位置を、サーキュラーバッファの５ビット目に設定し、ＣＦＩ＝３の下り単位バンドのリソース割当情報を含むＰＤＣＣＨ信号に対する読み出し開始位置を、サーキュラーバッファの９ビット目に設定する。つまり、サーキュラーバッファ読出部３５１は、各ＣＦＩの下り単位バンドのリソース割当情報を含むＰＤＣＣＨ信号に対する読み出し開始位置を、サーキュラーバッファの（（ｎＣＦＩ−１）×４＋１）ビット目に設定する。ここで、ｎＣＦＩは、ＣＦＩ情報（ここでは、ＣＦＩ＝１，２，３）を示す。
【０２００】
一方、端末２００のＰＤＣＣＨ受信部２０８（図４）は、各単位バンドのデータのリソース割当を行うＰＤＣＣＨそれぞれに対してブラインド復号する際、各下り単位バンドのＣＦＩ情報（ＰＣＦＩＣＨ信号から抽出したＣＦＩ情報）に基づいて、ＰＤＣＣＨ信号（ビット列）を正しい位置に戻す。具体的には、ＰＤＣＣＨ受信部２０８は、下り回線データの割当に使用される下り単位バンドと異なる下り単位バンドで送信されたＰＤＣＣＨをブラインド復号する際、復調後のＰＤＣＣＨ信号のビット位置を、下り回線データの割当に使用される下り単位バンドのＣＦＩ情報に対応するビット数（基地局３００での読み出し開始位置）分だけずらす。そして、ＰＤＣＣＨ受信部２０８は、正しい位置に戻されたビット列に対して、基地局３００での畳込符号化に対応する復号（例えば、ビタビ復号）を行う。
【０２０１】
例えば、ＣＦＩ＝１の下り単位バンドのリソース割当を行うＰＤＣＣＨに対してブラインド復号する際、ＰＤＣＣＨ受信部２０８は、図１５に示すように、ＰＤＣＣＨ信号（ビット列。つまり、基地局３００でサーキュラーバッファの１ビット目から順に読み出されたビット列）に対して、そのままの位置で復号を行う。一方、ＣＦＩ＝２の下り単位バンドのリソース割当を行うＰＤＣＣＨに対してブラインド復号する際、ＰＤＣＣＨ受信部２０８は、図１５に示すように、ＰＤＣＣＨ信号（ビット列。つまり、基地局３００でサーキュラーバッファの５ビット目から順に読み出されたビット列）を５ビットだけ後方にずらす。そして、ＰＤＣＣＨ受信部２０８は、そのＰＤＣＣＨ信号（基地局３００からのビット列が５ビット目以降に配置されたビット列）に対して復号を行う。同様に、ＣＦＩ＝３の下り単位バンドのリソース割当を行うＰＤＣＣＨに対してブラインド復号する際、ＰＤＣＣＨ受信部２０８は、図１５に示すように、ＰＤＣＣＨ信号（ビット列。つまり、基地局３００でサーキュラーバッファの９ビット目から順に読み出されたビット列）を９ビットだけ後方にずらす。そして、ＰＤＣＣＨ受信部２０８は、そのＰＤＣＣＨ信号（基地局３００からのビット列が５ビット目以降に配置されたビット列）に対して復号を行う。
【０２０２】
このとき、端末２００が、下り回線データが送信される下り単位バンドのＣＦＩ情報を誤って受信した場合には、復号の際のＰＤＣＣＨ信号（ビット列）のビット位置が正しくないため、そのＰＤＣＣＨ信号（ビット列）に対する復号はランダムな系列に対する復号と等価となり、ＣＲＣがＮＧとなる。つまり、端末２００では、下り回線データが送信される下り単位バンドのＣＦＩ情報を誤って判定した場合には、その下り回線データのリソース割当情報が割り当てられたＰＤＣＣＨ信号の受信も誤る（自端末宛てのＰＤＣＣＨ信号が検出されない）。
【０２０３】
このように、端末２００は、下り回線データが送信される下り単位バンドのＣＦＩ情報を正常に判定した場合のみ、基地局３００でサーキュラーバッファから読み出されたビット位置を正確に特定でき、正しいビット位置に戻されたＰＤＣＣＨ信号を復号することで、自端末宛てのＰＤＣＣＨ信号を得ることができる。
【０２０４】
よって、端末２００では、実施の形態１と同様、下り回線データが送信される下り単位バンドのＣＦＩ情報に誤りがある場合には、その下り単位バンドで下り回線データを受信しないので、ＨＡＲＱバッファの誤った位置に下り回線データを格納することはない。このため、実施の形態１と同様、図２に示すように、ＨＡＲＱバッファの誤った位置に下り回線データを格納することによる無駄なＨＡＲＱ再送は発生せず、さらに、上位レイヤ（例えば、ＲＬＣレイヤ）の再送が頻発することも無くなる。これにより、データの伝送遅延を低減することができ、かつ、ＨＡＲＱ再送のためのリソース消費を抑えることができるため、スループット改善および基地局３００の処理量の低減が可能となる。
【０２０５】
このように、本実施の形態によれば、基地局がＣＦＩ情報に対応した読み出し開始位置から順に、サーキュラーバッファからビット（ＰＤＣＣＨ信号）を読み出す場合でも、実施の形態１と同様、端末が複数の単位バンドを使用する際に、データが送信される単位バンドと、そのデータのリソース割当情報が割り当てられるＰＤＣＣＨが送信される単位バンドとが互いに異なる場合でも、無駄なＨＡＲＱ再送の発生を防ぐことができる。
【０２０６】
なお、本実施の形態では、ＰＤＣＣＨへのチャネル符号化として、非組織符号である畳み込み符号を用いるため、サーキュラーバッファ読み出し位置を変更することによる誤り率の劣化は発生しない。また、ＰＤＣＣＨへのチャネル符号化として、ターボ符号等の組織符号化を用いる際には、システマチックビットを読み出し対象からはずしてしまうと誤り率が劣化するため、パリティビット部分の読み出し位置のみをＣＦＩ情報に応じて変更するようにしてもよい。
【０２０７】
（実施の形態１０）
本実施の形態では、基地局は、ＰＤＣＣＨ信号に対してスクランブリングを施す際に、そのＰＤＣＣＨ信号に含まれる下りリソース割当情報に示されるリソース割当対象の下り単位バンドのＣＦＩ情報に対応するスクランブリング系列のみでなく、リソース割当対象の下り単位バンドに対応するスクランブリング系列でもスクランブリングを行う点が実施の形態１と異なる。
【０２０８】
以下、具体的に説明する。なお、本実施の形態に係る基地局１００（図３）および端末２００（図４）は、実施の形態１と同様の構成であるが、スクランブリング部１０５およびＰＤＣＣＨ受信部２０８の動作が異なる。
【０２０９】
基地局１００のスクランブリング部１０５は、符号化部１０４から入力されるＰＤＣＣＨ信号を、そのＰＤＣＣＨ信号に含まれる下りリソース割当情報に示されるリソース割当対象の下り単位バンドと異なる下り単位バンドを用いて送信する場合、当該ＰＤＣＣＨ信号を、下り回線データの割当に使用される下り単位バンドの単位バンド番号およびＣＦＩ情報の双方に対応するスクランブリング系列でスクランブリングする。
【０２１０】
一方、端末２００のＰＤＣＣＨ受信部２０８は、各単位バンドのデータのリソース割当を行うＰＤＣＣＨそれぞれに対してブラインド復号する。ここで、下り回線データの割当に使用される下り単位バンドと異なる下り単位バンドで送信されたＰＤＣＣＨをブラインド復号する際、ＰＤＣＣＨ受信部２０８は、復調後のＰＤＣＣＨ信号を、下り回線データの割当に使用される下り単位バンドの単位バンド番号およびＣＦＩ情報の双方に対応するスクランブリング系列を用いてデスクランブリングする。
【０２１１】
つまり、端末２００では、各単位バンドのデータのリソース割当を行うＰＤＣＣＨ信号それぞれに対してブラインド復号する際、そのＰＤＣＣＨ信号に含まれる下りリソース割当情報に示されるリソース割当対象の下り単位バンド（単位バンド番号）が異なれば、デスクランブリングに用いるスクランブリング系列が互いに異なる。そのため、端末２００は、ブラインド復号の対象であるＰＤＣＣＨ信号がリソース割当対象とする下り単位バンドと異なる下り単位バンドをリソース割当対象とするＰＤＣＣＨ信号を誤って検出することがない。
【０２１２】
ここで、本実施の形態では、各下り単位バンドのデータのリソース割当情報を含むＰＤＣＣＨ信号それぞれに対してサーチスペースが設定され、端末２００は、各下り単位バンドのデータのリソース割当情報を含むＰＤＣＣＨ信号それぞれについてブラインド復号している。しかし、本実施の形態では、各ＰＤＣＣＨ信号それぞれに設定されたサーチスペースが互いに重なる場合（つまり、互いに異なる単位バンドのデータのリソース割当情報を含むＰＤＣＣＨ信号に対して同一ＣＣＥが割当候補になる可能性がある場合）にも、端末２００は、ブラインド復号の各試行において対象としているＰＤＣＣＨ信号のみを検出することができる。よって、端末２００は、各ＰＤＣＣＨ信号それぞれに設定されたサーチスペースが互いに重なる場合でも、各下り単位バンドのデータのリソース割当を行うＰＤＣＣＨ信号を正しく検出できる。このため、端末２００は、自端末宛ての下り回線データが割り当てられている下り単位バンドを正しく判定することができる。
【０２１３】
ここで、例えば、各単位バンドのデータのリソース割当情報を示すＰＤＣＣＨそれぞれに対するサーチスペースを互いに重ならないようにするためには、サーチスペースを縮小させるか、ＰＤＣＣＨ領域内により多くの数のＣＣＥを設定する必要がある。ただし、サーチスペースを縮小させると、ＣＣＥ割り当ての自由度が低下することにより、他の端末向けのリソース割当情報を含むＰＤＣＣＨ信号との競合によりＣＣＥを割当てられなくなる確率（ＣＣＥブロッキング確率）が高くなり、データスループットの低下を招く。一方、ＰＤＣＣＨ領域内により多くの数のＣＣＥを設定すると、ＰＤＣＣＨ送信のために確保する時間・周波数リソースが増大するためデータスループットの低下を招く。
【０２１４】
しかし、本実施の形態によれば、各単位バンドのデータのリソース割当情報を示すＰＤＣＣＨそれぞれに対するサーチスペースが互いに重なる場合でも、端末２００は、データが割当てられている下り単位バンドを正しく判定することができる。このため、サーチスペースを縮小させる必要はなく、かつ、ＰＤＣＣＨ領域内により多くの数のＣＣＥを設定する必要もない。そのため、本実施の形態では、各単位バンドのデータのリソース割当情報を示すＰＤＣＣＨそれぞれに対するサーチスペースが互いに重なる場合でも、データスループットを向上させることが可能となる。また、本実施の形態によれば、端末２００が、データが割当てられている下り単位バンドをブラインド復号により特定できるため、リソース割当情報の中に割当対象の単位バンドを指示するビットを付加する必要がなく、制御情報のオーバーヘッドを増加させることがない。
【０２１５】
また、端末２００では、実施の形態１と同様、下り回線データが送信される下り単位バンドのＣＦＩ情報に誤りがある場合には、その下り単位バンドで下り回線データを受信しないので、ＨＡＲＱバッファの誤った位置に下り回線データを格納することはない。このため、実施の形態１と同様、図２に示すように、ＨＡＲＱバッファの誤った位置に下り回線データを格納することによる無駄なＨＡＲＱ再送は発生せず、さらに、上位レイヤ（例えば、ＲＬＣレイヤ）の再送が頻発することも無くなる。これにより、データの伝送遅延を低減することができ、かつ、ＨＡＲＱ再送のためのリソース消費を抑えることができるため、スループット改善および基地局１００の処理量の低減が可能となる。
【０２１６】
このように、本実施の形態によれば、基地局がＣＦＩ情報のみでなく、下り単位バンドの単位バンド番号にも対応するスクランブリング系列を用いて、ＰＤＣＣＨ信号をスクランブリングする場合でも、実施の形態１と同様、端末が複数の単位バンドを使用する際に、データが送信される単位バンドと、そのデータのリソース割当情報が割り当てられるＰＤＣＣＨが送信される単位バンドとが互いに異なる場合でも、無駄なＨＡＲＱ再送の発生を防ぐことができる。
【０２１７】
さらに、本実施の形態によれば、各単位バンドのデータのリソース割当情報を示すＰＤＣＣＨそれぞれに対するサーチスペースを互いに重なるように設定することができる。これにより、サーチスペースを縮小させずに、かつ、ＰＤＣＣＨ領域内により多くの数のＣＣＥを設定することなく、データスループットを向上させることが可能となる。
【０２１８】
なお、本実施の形態において、基地局がスクランブリング処理を行う際（または、端末がデスクランブリング処理を行う際）、基地局（端末）は、下り単位バンドの単位バンド番号に対応するスクランブリング系列を用いたスクランブリング処理（デスクランブリング処理）と、下り単位バンドのＣＦＩ情報に対応するスクランブリング系列を用いたスクランブリング処理（デスクランブリング処理）とをそれぞれ別々に行ってもよい。
【０２１９】
また、本実施の形態において、下り単位バンドの単位バンド番号は、基地局から端末毎に通知されてもよく、システム全体で（またはセル毎に）決められた番号を用いてもよい。または、下り単位バンドの単位バンド番号は、主単位バンド（主バンド）からどれだけ離れているかを示す相対番号であってもよい。
【０２２０】
また、実施の形態２、３、５、６において、本実施の形態と同様、下り単位バンドの単位バンド番号に依存したスクランブリング処理を行ってもよい。また、実施の形態４において下り単位バンドの単位バンド番号に対応するサーチスペースを設定してもよく、実施の形態７、８において下り単位バンドの単位バンド番号に依存したインターリーブ処理を行ってもよく、実施の形態９において下り単位バンドの単位バンド番号に対応する、サーキュラーバッファの読み出し開始位置を設定してもよい。これらの場合でも、本実施の形態と同様の効果を得ることができる。
【０２２１】
また、本実施の形態のようにして、リソース割当対象の下り単位バンドの単位バンド番号に依存したスクランブリング処理を行う一方で、実施の形態７、８のようにして、リソース割当対象の下り単位バンドのＣＦＩ情報に依存したインターリーブ処理を行うようにしてもよく、実施の形態９のようにして、下り単位バンドの単位バンド番号に対応するサーキュラーバッファの読み出し開始位置を設定してもよい。これらの場合でも、本実施の形態と同様の効果を得ることができる。
【０２２２】
また、本実施の形態において、ＰＤＣＣＨ信号がリソース割当対象の単位バンドのＣＦＩ情報に依存したスクランブリング処理を行わず、リソース割当対象の単位バンドの単位バンド番号に依存したスクランブリング処理のみを行うようにしてもよい。この場合には、各単位バンドのＣＦＩ情報を予め固定値（例えばＣＦＩ＝３）に設定しておくことにより、ＨＡＲＱバッファの誤った位置に下り回線データを格納することによる無駄なＨＡＲＱ再送の発生を防ぐ。ただし、この場合には、ＰＤＣＣＨ向け（ＰＤＣＣＨ領域）のリソース量を固定量に設定することになるため、トラヒック量等に応じた制御ができずスループットの劣化を招く恐れがある。そのため、上記処理は、トラヒック量の変動のより少ない状況（例えば、ユーザ数の多い大きなセル）で実施することが好ましい。
【０２２３】
以上、本発明の各実施の形態について説明した。
【０２２４】
なお、上記実施の形態では、１つのＰＤＣＣＨに割当可能なＣＣＥの最大数を４とした。しかし、本発明では、１つのＰＤＣＣＨに割当可能なＣＣＥの最大数は４に限らず、例えば、ＬＴＥでは、１つのＰＤＣＣＨに割当可能なＣＣＥの最大数は８である。
【０２２５】
また、上記実施の形態では、データ信号（ＰＤＳＣＨ信号）の開始ＯＦＤＭシンボル位置を示す情報としてＣＦＩ情報を用いる場合を一例として説明した。しかし、本発明では、データ信号が送信されるリソースが特定できる情報であれば、ＣＦＩ情報以外の情報を用いてもよい。
【０２２６】
また、バンドアグリゲーション（Band aggregation）は、キャリアアグリゲーション（Carrier aggregation）と呼ばれることもある。また、バンドアグリゲーションは、連続する周波数帯域を連結する場合に限らず、非連続な周波数帯域を連結してもよい。
【０２２７】
また、本発明では、端末ＩＤとしてＣ−ＲＮＴＩ（Cell-Radio Network Temporary Identifier）を用いてもよい。
【０２２８】
また、本発明において、マスキング（スクランブリング）処理は、ビット間（すなわち、ＣＲＣビットと端末ＩＤ）の乗算でもよく、ビット同士を加算し、加算結果のｍｏｄ２（すなわち、加算結果を２で割ったときの余り）を算出してもよい。
【０２２９】
また、上記実施の形態では、単位バンドを、最大２０ＭＨｚの幅を持つ帯域であって、通信帯域の基本単位として定義する場合について説明した。しかし、単位バンドは、次のように定義されることもある。例えば、下り単位バンドは、基地局から報知されるＢＣＨ（Broadcast Channel）の中の下り周波数帯域情報によって区切られた帯域、または、ＰＤＣＣＨが周波数領域に分散配置される場合の分散幅によって定義される帯域として定義されることもある。また、上り単位バンドは、基地局から報知されるＢＣＨの中の上り周波数帯域情報によって区切られた帯域、または、中心付近にＰＵＳＣＨを含み、両端部にＰＵＣＣＨを含む２０ＭＨｚ以下の通信帯域の基本単位として定義されることもある。また、単位バンドは、ＬＴＥにおいて、単位キャリア（Component carrier(s)）、または、単位帯域と呼ばれることもある。
【０２３０】
また、本発明では、設定部１０１（図３）において端末毎に設定される単位バンドを下り単位バンドセット（DL Active Component Carrier Set）および上り単位バンドセット（UL Active Component Carrier Set）と定義してもよい。また、ＰＤＣＣＨ信号を送信する単位バンドをＰＤＣＣＨ単位バンドセット（PDCCH active component carrier set）等と定義してもよい。
【０２３１】
また、本発明において、端末は、端末が使用する複数の単位バンドのうちいずれか１つの単位バンドを端末の主バンドとし、ＰＤＣＣＨ信号を主バンドで必ず送信するようにしてもよい。なお、主バンドとして設定される単位バンドは、システムで予め決められた単位バンド（例えば、ＳＣＨまたはＰ−ＢＣＨを送信する単位バンド）が設定されてもよく、セル毎に端末間で共通の単位バンドが設定されてもよく、端末毎に異なる単位バンドが設定されてもよい。また、主バンドはanchorバンド、anchorキャリア、マスターバンド、マスターキャリアと呼ばれることもある。
【０２３２】
また、上記実施の形態で説明したＣＣＥは論理的なリソースであり、ＣＣＥを実際の物理的な時間・周波数リソースへ配置する際には、ＣＣＥは単位バンド内の全帯域に渡って分散して配置される。また、論理的なリソースとしてのＣＣＥが単位バンド毎に分割されてさえいれば、実際の物理的な時間・周波数リソースへのＣＣＥの配置は、全システム帯域（つまり全単位バンド）に渡って分散した配置でもよい。
【０２３３】
また、上記実施の形態では、単位バンドの通信帯域幅を２０ＭＨｚとする場合について説明したが、単位バンドの通信帯域幅は２０ＭＨｚに限定されない。
【０２３４】
また、端末はＵＥ、基地局はNode BまたはBS（Base Station）と呼ばれることもある。また、端末ＩＤはＵＥ−ＩＤと呼ばれることもある。
【０２３５】
また、上記実施の形態では、本発明をハードウェアで構成する場合を例にとって説明したが、本発明はソフトウェアで実現することも可能である。
【０２３６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２３８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３９】
２００９年６月２２日出願の特願２００９−１４７８１２および２００９年９月１８日出願の特願２００９−２１７１３５の日本出願に含まれる明細書、図面および要約書の開示内容は、すべて本願に援用される。
【産業上の利用可能性】
【０２４０】
本発明は、移動体通信システム等に適用することができる。
【符号の説明】
【０２４１】
１００，１００ａ，３００  基地局
２００  端末
１０１  設定部
１０２  制御部
１０３  ＰＤＣＣＨ生成部
１０４  符号化部
１０５，３１５，３１８，３２２  スクランブリング部
１０６，１０９，１１０，２１０，２１１  変調部
１０７  割当部
１０８  ＰＣＦＩＣＨ生成部
１１１  多重部
１１２，２１４  ＩＦＦＴ部
１１３，２１５  ＣＰ付加部
１１４，２１６  送信ＲＦ部
１１５，２０１  アンテナ
１１６，２０２  受信ＲＦ部
１１７，２０３  ＣＰ除去部
１１８，２０４  ＦＦＴ部
１１９  抽出部
１２０  ＩＤＦＴ部
１２１  データ受信部
１２２  ＡＣＫ／ＮＡＣＫ受信部
２０５  分離部
２０６  設定情報受信部
２０７  ＰＣＦＩＣＨ受信部
２０８  ＰＤＣＣＨ受信部
２０９  ＰＤＳＣＨ受信部
２１２  ＤＦＴ部
２１３  マッピング部
３０１  ＰＤＣＣＨ処理部
３１１  畳込符号化部
３１２，３３１  サブブロックインターリーブ部
３１３  サーキュラーバッファ格納部
３１４，３５１  サーキュラーバッファ読出部
３１６  Ｐ／Ｓ変換部
３１７，３２１  系列生成部
３１９  ＱＰＳＫマッピング部
３４１  インターリーブ部
【図１】
2010150512.tif 000005
【図２】
2010150512.tif 000006
【図３】
2010150512.tif 000007
【図４】
2010150512.tif 000008
【図５】
2010150512.tif 000009
【図６】
2010150512.tif 000010
【図７】
2010150512.tif 000011
【図８】
2010150512.tif 000012
【図９】
2010150512.tif 000013
【図１０】
2010150512.tif 000014
【図１１】
2010150512.tif 000015
【図１２】
2010150512.tif 000016
【図１３】
2010150512.tif 000017
【図１４】
2010150512.tif 000018
【図１５】
2010150512.tif 000019
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
複数の下り単位バンドを使用して無線通信端末装置宛ての複数の下り回線データを送信する無線通信基地局装置であって、
前記複数の下り回線データの各リソース割当情報がそれぞれ割り当てられる複数の制御チャネルに使用可能なシンボル数を示すＣＦＩ情報を、前記複数の下り単位バンド毎に生成するＣＦＩ情報生成手段と、
前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを、前記下り回線データの割当に使用される下り単位バンドの前記ＣＦＩ情報に対応する系列でスクランブリングするスクランブリング手段と、
を具備する無線通信基地局装置。
【請求項２】
前記スクランブリング手段は、前記制御チャネルに割り当てられるＣＣＥの連結数が閾値以上の場合、かつ、前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを前記系列でスクランブリングする、
請求項１記載の無線通信基地局装置。
【請求項３】
前記スクランブリング手段は、前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルに割り当てられる複数の制御情報フォーマットのうち、情報ビット数が最も小さい制御情報フォーマットが割り当てられた前記制御チャネルを、前記系列でスクランブリングする、
請求項１記載の無線通信基地局装置。
【請求項４】
前記スクランブリング手段は、前記制御チャネルを、前記ＣＦＩ情報、および、自装置がカバーするセルのセルＩＤに対応する前記系列でスクランブリングする、
請求項１記載の無線通信基地局装置。
【請求項５】
前記スクランブリング手段は、前記制御チャネルを、前記ＣＦＩ情報、および、前記下り回線データの割当に使用される下り単位バンドに対応する前記系列でスクランブリングする、
請求項１記載の無線通信基地局装置。
【請求項６】
複数の下り単位バンドを使用して複数の下り回線データを受信する無線通信端末装置であって、
自装置宛ての下り回線データのリソース割当情報が割り当てられた制御チャネルに使用可能なシンボル数を示すＣＦＩ情報を、前記複数の下り単位バンド毎に得る受信手段と、
前記複数の下り単位バンドにおいて、前記下り回線データの割当に使用される下り単位バンドと異なる下り単位バンドで送信された前記制御チャネルに対して、前記下り回線データの割当に使用される下り単位バンドの前記ＣＦＩ情報に対応する系列でデスクランブリングする復号手段と、
を具備する無線通信端末装置。
【請求項７】
複数の下り単位バンドを使用して無線通信端末装置宛てに複数の下り回線データを送信する無線通信基地局装置における制御チャネル送信方法であって、
前記複数の下り回線データの各リソース割当情報がそれぞれ割り当てられる複数の制御チャネルに使用可能なシンボル数を示すＣＦＩ情報を、前記複数の下り単位バンド毎に生成し、
前記複数の下り単位バンドにおいて、前記下り回線データの割当に使用される下り単位バンドと、前記リソース割当情報が割り当てられる前記制御チャネルを送信する下り単位バンドとが互いに異なる場合、前記制御チャネルを、前記下り回線データの割当に使用される下り単位バンドの前記ＣＦＩ情報に対応する系列でスクランブリングする、
制御チャネル送信方法。
【請求項８】
複数の下り単位バンドを使用して複数の下り回線データを受信する無線通信端末装置における制御チャネル受信方法であって、
自装置宛ての下り回線データのリソース割当情報が割り当てられた制御チャネルに使用可能なシンボル数を示すＣＦＩ情報を、前記複数の下り単位バンド毎に得て、
前記複数の下り単位バンドにおいて、前記下り回線データの割当に使用される下り単位バンドと異なる下り単位バンドで送信された前記制御チャネルに対して、前記下り回線データの割当に使用される下り単位バンドの前記ＣＦＩ情報に対応する系列でデスクランブリングする、
制御チャネル受信方法。
【国際調査報告】
2010150512.tif 000020
2010150512.tif 000021